(57)【要約】本願は通信方法及び通信装置を開示する。本願で提供される方法は、端末デバイスが第１ＡＮノードから第２ＡＮノードへ移動するシナリオに適用される。方法は、第２ＡＮノードを使用することによって端末デバイスからアクティブにされるべきセッションの識別情報を受信することと、ＡＭＦノードと第１ＡＮノードとの間に端末デバイスのシグナリング接続が存在するときに第１ＡＮノードへコンテキスト解放コマンドを送ることと、端末デバイスのアクティブセッションの識別情報を運ぶコンテキスト解放完了メッセージを第１ＡＮノードから受信することと、アクティブにされるべきセッション及びアクティブセッションが同じセッションを有しているときに、同じセッションを非アクティブにすることを要求するために使用される第１要求メッセージを、同じセッションに対応するＳＭＦノードへ送ることと、同じセッションが非アクティブにされた後に、同じセッションをアクティブにすることを要求するために使用される第２要求メッセージをＳＭＦノードへ送ることとを含む。このように、セッションアクティブ化の成功率は改善される。
2021503851.tif 000002
【特許請求の範囲】
【請求項１】
通信方法であって、該方法は、端末デバイスが第１アクセスネットワークＡＮノードから第２ＡＮノードへ移動するシナリオに適用される、前記方法において、
アクセス制御及びモビリティ管理機能ＡＭＦノードによって、前記第２ＡＮノードを使用することによって前記端末デバイスからアクティブにされるべきセッションの識別情報を受信することと、
前記ＡＭＦノードによって、前記アクティブにされるべきセッションの前記識別情報に基づいて、前記アクティブにされるべきセッションをアクティブにすることを要求するために使用される第１要求メッセージをセッション管理機能ＳＭＦノードへ送ることと、
前記ＡＭＦノードによって、前記ＡＭＦノードと前記第１ＡＮノードとの間に前記端末デバイスのシグナリング接続が存在するときに、前記端末デバイスのコンテキストを解放することを指示するために使用されるコンテキスト解放コマンドを前記第１ＡＮノードへ送ることと、
前記ＡＭＦノードによって、前記第１ＡＮノードから、前記端末デバイスのアクティブセッションの識別情報を運ぶコンテキスト解放完了メッセージを受信することと、
前記アクティブにされるべきセッション及び前記アクティブセッションが同じセッションを有しているときに、前記ＡＭＦノードによって、前記同じセッションを非アクティブにすることを要求するために使用される第２要求メッセージを、前記同じセッションに対応するＳＭＦノードへ送ることをスキップすることと
を有する方法。
【請求項２】
前記方法は、
前記アクティブにされるべきセッション及び前記アクティブセッションが前記同じセッションを有しているときに、前記ＡＭＦノードによって、前記同じセッションをアクティブにすることを要求するために使用される要求メッセージを、前記同じセッションに対応する前記ＳＭＦノードへ送ることを更に有する、
請求項１に記載の方法。
【請求項３】
前記方法は、
前記アクティブにされるべきセッション及び前記アクティブセッションが異なるセッションを有しているときに、前記ＡＭＦノードによって、前記アクティブにされるべきセッションにあるが前記アクティブセッションにないセッションをアクティブにすることを要求するために使用される要求メッセージを、前記アクティブにされるべきセッションに対応するＳＭＦノードへ送り、前記アクティブセッションにあるが前記アクティブにされるべきセッションにないセッションを非アクティブにすることを要求するために使用される要求メッセージを、前記アクティブセッションに対応するＳＭＦノードへ送ることを更に有する、
請求項１又は２に記載の方法。
【請求項４】
前記方法は、
前記アクティブにされるべきセッション及び前記アクティブセッションが異なるセッションを有しているときに、前記ＡＭＦノードによって、前記アクティブセッションにあるが前記アクティブにされるべきセッションにないセッションを非アクティブにすることを要求するために使用される要求メッセージを前記アクティブセッションに対応するＳＭＦノードへ送ることを更に有する、
請求項１又は２に記載の方法。
【請求項５】
前記第１要求メッセージは、アクティブ化指示情報を運ぶアップデートセッション管理コンテキスト要求メッセージであり、前記アクティブ化指示情報は、前記アップデートセッション管理コンテキスト要求メッセージがセッションをアクティブにすることを要求するために使用されることを示すために使用される、
請求項１乃至４のうちいずれか一項に記載の方法。
【請求項６】
通信方法であって、該方法は、
セッション管理機能ＳＭＦノードによって、セッションをアクティブにすることを要求するために使用される要求メッセージをアクセス制御及びモビリティ管理機能ＡＭＦノードから受信することと、
前記ＳＭＦノードによって、前記セッションがアクティブ状態にあるときに前記セッションの（無線）アクセスネットワーク（Ｒ）ＡＮトンネル情報を削除することと
を有する方法。
【請求項７】
前記ＳＭＦノードに保持されている前記セッションの状態が前記アクティブ状態であるときに、前記ＳＭＦノードによって、前記セッションが前記アクティブ状態にあることを決定することを更に有する、
請求項６に記載の方法。
【請求項８】
前記ＳＭＦノードによって、前記セッションのコアネットワークトンネル情報を前記ＡＭＦノードへ送ることを更に有する、
請求項６又は７に記載の方法。
【請求項９】
前記コアネットワークトンネル情報は、前記要求メッセージに対応する応答メッセージにおいて運ばれる、
請求項８に記載の方法。
【請求項１０】
前記要求メッセージは、アクティブ化指示情報を運ぶアップデートセッション管理コンテキスト要求メッセージであり、前記アクティブ化指示情報は、前記アップデートセッション管理コンテキスト要求メッセージがセッションをアクティブにすることを要求するために使用されることを示すために使用される、
請求項６乃至９のうちのいずれか一項に記載の方法。
【請求項１１】
通信方法であって、該方法は、端末デバイスが第１アクセスネットワークＡＮノードから第２ＡＮノードへ移動するシナリオに適用され、前記第１ＡＮノードは、第１アクセス制御及びモビリティ管理機能ＡＭＦノードによって管理され、前記第２ＡＮノードは、第２ＡＭＦノードによって管理される、前記方法において、
前記第１ＡＭＦノードによって、前記端末デバイスのモビリティ管理ＭＭコンテキストMM  contextを要求するために使用される第１要求メッセージを前記第２ＡＭＦノードから受信することと、
前記第１ＡＭＦノードによって、前記第１ＡＭＦノードと前記第１ＡＮノードとの間に前記端末デバイスのシグナリング接続が存在するときに、前記端末デバイスのコンテキストを解放することを指示するために使用されるコンテキスト解放コマンドを前記第１ＡＮノードへ送ることと、
前記第１ＡＭＦノードによって、前記端末デバイスのアクティブセッションの識別情報を運ぶコンテキスト解放完了メッセージを前記第１ＡＮノードから受信することと、
前記第１ＡＭＦノードによって、前記アクティブセッションを非アクティブにすることを要求するために使用される第２要求メッセージを、前記アクティブセッションに対応するセッション管理機能ＳＭＦノードへ送ることと、
前記第１ＡＭＦノードによって、前記アクティブセッションが非アクティブにされた後に、前記端末デバイスの前記ＭＭコンテキストを運ぶ第１応答メッセージを前記第２ＡＭＦノードへ送ることと
を有する方法。
【請求項１２】
通信方法であって、該方法は、端末デバイスが第１アクセスネットワークＡＮノードから第２ＡＮノードへ移動するシナリオに適用され、前記第１ＡＮノードは、第１アクセス制御及びモビリティ管理機能ＡＭＦノードによって管理され、前記第２ＡＮノードは、第２ＡＭＦノードによって管理される、前記方法において、
前記第１ＡＭＦノードによって、前記端末デバイスのモビリティ管理コンテキストを要求するために使用され且つ前記端末デバイスのアクティブにされるべきセッションの識別情報を運ぶ第１要求メッセージを前記第２ＡＭＦノードから受信することと、
前記第１ＡＭＦノードによって、前記第１ＡＭＦノードと前記第１ＡＮノードとの間に前記端末デバイスのシグナリング接続が存在するときに、前記端末デバイスのコンテキストを解放することを指示するために使用されるコンテキスト解放コマンドを前記第１ＡＮノードへ送ることと、
前記第１ＡＭＦノードによって、前記端末デバイスのアクティブセッションの識別情報を運ぶコンテキスト解放完了メッセージを前記第１ＡＮノードから受信することと、
前記第１ＡＭＦノードによって、前記端末デバイスの前記モビリティ管理コンテキストを運ぶ第１応答メッセージを前記第２ＡＭＦノードへ送ることと
を有する方法。
【請求項１３】
前記アクティブにされるべきセッション及び前記アクティブセッションが同じセッションを有しているときに、前記第１応答メッセージは、前記同じセッションの識別情報を更に運ぶか、あるいは、
前記アクティブにされるべきセッション及び前記アクティブセッションが同じセッションを有していないときに、前記第１応答メッセージは、指示情報を更に運び、該指示情報は、前記アクティブにされるべきセッション及び前記アクティブセッションが同じセッションを有していないことを示すために使用される、
請求項１２に記載の方法。
【請求項１４】
前記第１応答メッセージは、前記アクティブセッションの前記識別情報を更に運ぶ、
請求項１２に記載の方法。
【請求項１５】
前記アクティブにされるべきセッション及び前記アクティブセッションが異なるセッションを有しているときに、前記第１ＡＭＦノードによって、前記アクティブセッションにあるが前記アクティブにされるべきセッションにないセッションを非アクティブにすることを要求するために使用される第２要求メッセージを、前記アクティブセッションにあるが前記アクティブにされるべきセッションにない前記セッションに対応するセッション管理機能ＳＭＦノードへ送ることを更に有する、
請求項１２乃至１４のうちいずれか一項に記載の方法。
【請求項１６】
通信方法であって、該方法は、端末デバイスが第１アクセスネットワークＡＮノードから第２ＡＮノードへ移動するシナリオに適用され、前記第１ＡＮノードは、第１アクセス制御及びモビリティ管理機能ＡＭＦノードによって管理され、前記第２ＡＮノードは、第２ＡＭＦノードによって管理される、前記方法において、
前記第１ＡＭＦノードによって、前記端末デバイスのモビリティ管理コンテキストを要求するために使用され且つ前記端末デバイスのアクティブにされるべきセッションの識別情報を運ぶ第１要求メッセージを前記第２ＡＭＦノードから受信することと、
前記第１ＡＭＦノードによって、前記端末デバイスの前記モビリティ管理コンテキストを運ぶ第１応答メッセージを前記第２ＡＭＦノードへ送ることと、
前記第１ＡＭＦノードによって、前記第１ＡＭＦノードと前記第１ＡＮノードとの間に前記端末デバイスのシグナリング接続が存在するときに、前記端末デバイスのコンテキストを解放することを指示するために使用されるコンテキスト解放コマンドを前記第１ＡＮノードへ送ることと、
前記第１ＡＭＦノードによって、前記端末デバイスのアクティブセッションの識別情報を運ぶコンテキスト解放完了メッセージを前記第１ＡＮノードから受信することと、
前記アクティブにされるべきセッション及び前記アクティブセッションが同じセッションを有しているときに、前記第１ＡＭＦノードによって、前記同じセッションを非アクティブにすることを要求するために使用される第２要求メッセージを、前記同じセッションに対応するセッション管理機能ＳＭＦノードへ送ることをスキップすることと
を有する方法。
【請求項１７】
前記アクティブにされるべきセッション及び前記アクティブセッションが異なるセッションを有しているときに、前記第１ＡＭＦノードによって、前記アクティブセッションにあるが前記アクティブにされるべきセッションにないセッションを非アクティブにすることを要求するために使用される第３要求メッセージを、前記アクティブセッションにあるが前記アクティブにされるべきセッションにない前記セッションに対応するＳＭＦノードへ送ることを更に有する、
請求項１６に記載の方法。
【請求項１８】
通信装置であって、該装置は、端末デバイスが第１アクセスネットワークＡＮノードから第２ＡＮノードへ移動するシナリオに適用され、前記装置は、アクセス制御及びモビリティ管理機能（ＡＭＦ）ノードであるか又は前記ＡＭＦノードの中にある、前記装置において、
前記第２ＡＮノードを使用することによって前記端末デバイスからアクティブにされるべきセッションの識別情報を受信するよう構成されるトランシーバユニットと、
前記トランシーバユニットを使用することによって、前記アクティブにされるべきセッションの前記識別情報に基づいて、前記アクティブにされるべきセッションをアクティブにすることを要求するために使用される第１要求メッセージをセッション管理機能ＳＭＦノードへ送るよう構成される処理ユニットと
を有し、
前記処理ユニットは、前記ＡＭＦノードと前記第１ＡＮノードとの間に前記端末デバイスのシグナリング接続が存在するときに、前記トランシーバユニットを使用することによって、前記端末デバイスのコンテキストを解放することを指示するために使用されるコンテキスト解放コマンドを前記第１ＡＮノードへ送るよう更に構成され、
前記トランシーバユニットは、前記第１ＡＮノードから、前記端末デバイスのアクティブセッションの識別情報を運ぶコンテキスト解放完了メッセージを受信するよう更に構成され、
前記処理ユニットは、前記アクティブにされるべきセッション及び前記アクティブセッションが同じセッションを有しているときに、前記同じセッションを非アクティブにすることを要求するために使用される第２要求メッセージを、前記同じセッションに対応するＳＭＦノードへ送ることをスキップするよう更に構成される、
装置。
【請求項１９】
前記処理ユニットは、
前記アクティブセッション及び前記アクティブセッションが異なるセッションを有しているときに、前記トランシーバユニットを使用することによって、前記アクティブセッションにあるが前記アクティブにされるべきセッションにないセッションを非アクティブにすることを要求するために使用される第３要求メッセージを、前記アクティブセッションにあるが前記アクティブにされるべきセッションにない前記セッションに対応するＳＭＦノードへ送るよう更に構成される、
請求項１８に記載の装置。
【請求項２０】
前記処理ユニットは、
前記アクティブにされるべきセッション及び前記アクティブセッションが前記同じセッションを有しているときに、前記トランシーバユニットを使用することによって、前記同じセッションをアクティブにすることを要求するために使用される要求メッセージを、前記同じセッションに対応する前記ＳＭＦノードへ送るよう更に構成される、
請求項１８に記載の装置。
【請求項２１】
前記処理ユニットは、
前記アクティブにされるべきセッション及び前記アクティブセッションが異なるセッションを有しているときに、前記アクティブにされるべきセッションにあるが前記アクティブセッションにないセッションをアクティブにすることを要求するために使用される要求メッセージを、前記トランシーバユニットを使用することによって、前記アクティブにされるべきセッションに対応するＳＭＦノードへ送り、前記アクティブセッションにあるが前記アクティブにされるべきセッションにないセッションを非アクティブにすることを要求するために使用される要求メッセージを、前記トランシーバユニットを使用することによって、前記アクティブセッションに対応するＳＭＦノードへ送るよう更に構成される、
請求項１８に記載の装置。
【請求項２２】
前記第１要求メッセージは、アクティブ化指示情報を運ぶアップデートセッション管理コンテキスト要求メッセージであり、前記アクティブ化指示情報は、前記アップデートセッション管理コンテキスト要求メッセージがセッションをアクティブにすることを要求するために使用されることを示すために使用される、
請求項１８乃至２１のうちいずれか一項に記載の装置。
【請求項２３】
通信装置であって、該装置は、端末デバイスが第１アクセスネットワークＡＮノードから第２ＡＮノードへ移動するシナリオに適用され、前記第１ＡＮノードは、第１アクセス制御及びモビリティ管理機能ＡＭＦノードによって管理され、前記第２ＡＮノードは、第２ＡＭＦノードによって管理され、前記装置は、前記第１ＡＭＦノードであるか又は前記第１ＡＭＦノードの中にある、前記装置において、
前記端末デバイスのモビリティ管理ＭＭコンテキストMM  contextを要求するために使用される第１要求メッセージを前記第２ＡＭＦノードから受信するよう構成されるトランシーバユニットと、
前記第１ＡＭＦノードと前記第１ＡＮノードとの間に前記端末デバイスのシグナリング接続が存在するときに、前記トランシーバユニットを使用することによって、前記端末デバイスのコンテキストを解放することを指示するために使用されるコンテキスト解放コマンドを前記第１ＡＮノードへ送るよう構成される処理ユニットと
を有し、
前記トランシーバユニットは、前記端末デバイスのアクティブセッションの識別情報を運ぶコンテキスト解放完了メッセージを前記第１ＡＮノードから受信するよう更に構成され、
前記トランシーバユニットは、前記アクティブセッションを非アクティブにすることを要求するために使用される第２要求メッセージを、前記アクティブセッションに対応するセッション管理機能ＳＭＦノードへ送るよう更に構成され、
前記処理ユニットは、前記アクティブセッションが非アクティブにされた後に、前記トランシーバユニットを使用することによって、前記端末デバイスの前記ＭＭコンテキストを運ぶ第１応答メッセージを前記第２ＡＭＦノードへ送るよう更に構成される、
装置。
【請求項２４】
通信装置であって、該装置は、端末デバイスが第１アクセスネットワークＡＮノードから第２ＡＮノードへ移動するシナリオに適用され、前記第１ＡＮノードは、第１アクセス制御及びモビリティ管理機能ＡＭＦノードによって管理され、前記第２ＡＮノードは、第２ＡＭＦノードによって管理され、前記装置は、前記第１ＡＭＦノードであるか又は前記第１ＡＭＦノードの中にある、前記装置において、
前記端末デバイスのモビリティ管理コンテキストを要求するために使用され且つ前記端末デバイスのアクティブにされるべきセッションの識別情報を運ぶ第１要求メッセージを前記第２ＡＭＦノードから受信するよう構成されるトランシーバユニットと、
前記第１ＡＭＦノードと前記第１ＡＮノードとの間に前記端末デバイスのシグナリング接続が存在するときに、前記トランシーバユニットを使用することによって、前記端末デバイスのコンテキストを解放することを指示するために使用されるコンテキスト解放コマンドを前記第１ＡＮノードへ送るよう構成される処理ユニットと
を有し、
前記トランシーバユニットは、前記第１ＡＭＦノードによって、前記端末デバイスのアクティブセッションの識別情報を運ぶコンテキスト解放完了メッセージを前記第１ＡＮノードから受信するよう更に構成され、
前記トランシーバユニットは、前記端末デバイスの前記モビリティ管理コンテキストを運ぶ第１応答メッセージを前記第２ＡＭＦノードへ送るよう更に構成される、
装置。
【請求項２５】
前記アクティブにされるべきセッション及び前記アクティブセッションが同じセッションを有しているときに、前記第１応答メッセージは、前記同じセッションの識別情報を更に運ぶか、あるいは、
前記アクティブにされるべきセッション及び前記アクティブセッションが同じセッションを有していないときに、前記第１応答メッセージは、指示情報を更に運び、該指示情報は、前記アクティブにされるべきセッション及び前記アクティブセッションが同じセッションを有していないことを示すために使用される、
請求項２４に記載の装置。
【請求項２６】
前記第１応答メッセージは、前記アクティブセッションの前記識別情報を更に運ぶ、
請求項２４に記載の装置。
【請求項２７】
前記処理ユニットは、
前記アクティブにされるべきセッション及び前記アクティブセッションが異なるセッションを有しているときに、前記アクティブセッションにあるが前記アクティブにされるべきセッションにないセッションを非アクティブにすることを要求するために使用される第２要求メッセージを、前記トランシーバユニットを使用することによって、前記アクティブセッションにあるが前記アクティブにされるべきセッションにない前記セッションに対応するセッション管理機能ＳＭＦノードへ送るよう更に構成される、
請求項２４乃至２６のうちいずれか一項に記載の装置。
【請求項２８】
通信装置であって、該装置は、端末デバイスが第１アクセスネットワークＡＮノードから第２ＡＮノードへ移動するシナリオに適用され、前記第１ＡＮノードは、第１アクセス制御及びモビリティ管理機能ＡＭＦノードによって管理され、前記第２ＡＮノードは、第２ＡＭＦノードによって管理され、前記装置は、前記第１ＡＭＦノードであるか又は前記第１ＡＭＦノードの中にある、前記装置において、
前記端末デバイスのモビリティ管理コンテキストを要求するために使用され且つ前記端末デバイスのアクティブにされるべきセッションの識別情報を運ぶ第１要求メッセージを前記第２ＡＭＦノードから受信するよう構成されるトランシーバユニットであり、前記第１ＡＭＦノードによって、前記端末デバイスの前記モビリティ管理コンテキストを運ぶ第１応答メッセージを前記第２ＡＭＦノードへ送るよう更に構成される前記トランシーバユニットと、
前記第１ＡＭＦノードと前記第１ＡＮノードとの間に前記端末デバイスのシグナリング接続が存在するときに、前記トランシーバユニットを使用することによって、前記端末デバイスのコンテキストを解放することを指示するために使用されるコンテキスト解放コマンドを前記第１ＡＮノードへ送るよう構成される処理ユニットと
を有し、
前記トランシーバユニットは、前記端末デバイスのアクティブセッションの識別情報を運ぶコンテキスト解放完了メッセージを前記第１ＡＮノードから受信するよう更に構成されと、
前記処理ユニットは、前記アクティブにされるべきセッション及び前記アクティブセッションが同じセッションを有しているときに、前記同じセッションを非アクティブにすることを要求するために使用される第２要求メッセージを、前記同じセッションに対応するセッション管理機能ＳＭＦノードへ送ることをスキップするよう更に構成される、
装置。
【請求項２９】
前記処理ユニットは、
前記アクティブにされるべきセッション及び前記アクティブセッションが異なるセッションを有しているときに、前記アクティブセッションにあるが前記アクティブにされるべきセッションにないセッションを非アクティブにすることを要求するために使用される第３要求メッセージを、前記トランシーバユニットを使用することによって、前記アクティブセッションにあるが前記アクティブにされるべきセッションにない前記セッションに対応するＳＭＦノードへ送るよう更に構成される、
請求項２８に記載の装置。
【請求項３０】
通信装置であって、該装置は、
セッションをアクティブにすることを要求するために使用される要求メッセージをアクセス制御及びモビリティ管理機能ＡＭＦノードから受信するよう構成されるトランシーバユニットと、
前記セッションがアクティブ状態にあるときに前記セッションの（無線）アクセスネットワーク（Ｒ）ＡＮトンネル情報を削除するよう構成される処理ユニットと
を有する装置。
【請求項３１】
前記処理ユニットは、
前記装置に保持されている前記セッションの状態が前記アクティブ状態であるときに、前記セッションが前記アクティブ状態にあることを決定するよう更に構成される、
請求項３０に記載の装置。
【請求項３２】
前記処理ユニットは、
前記トランシーバユニットを使用することによって、前記セッションのコアネットワークトンネル情報を前記ＡＭＦノードへ送るよう更に構成される、
請求項３０又は３１に記載の装置。
【請求項３３】
前記コアネットワークトンネル情報は、前記要求メッセージに対応する応答メッセージにおいて運ばれる、
請求項３２に記載の装置。
【請求項３４】
前記要求メッセージは、アクティブ化指示情報を運ぶアップデートセッション管理コンテキスト要求メッセージであり、前記アクティブ化指示情報は、前記アップデートセッション管理コンテキスト要求メッセージがセッションをアクティブにすることを要求するために使用されることを示すために使用される、
請求項３０乃至３３のうちのいずれか一項に記載の装置。
【請求項３５】
プログラムを記憶し、該プログラムが実行されるときに、請求項１乃至１７のうちいずれか一項に記載のステップが実行される、
コンピュータ記憶媒体。
【請求項３６】
メモリ及びプロセッサを有し、
前記メモリは、プログラムコードを記憶するよう構成され、
前記プロセッサは、前記メモリに記憶されている前記コンピュータプログラムを実行するよう構成され、コンピュータ記憶媒体がプログラムを記憶し、該プログラムが実行されるときに、請求項１乃至１７のうちいずれか一項に記載の方法が実装される、
通信装置。
【請求項３７】
通信システムであって、該システムは、第１アクセスネットワークＡＮノードと、第２ＡＮノードと、アクセス制御及びモビリティ管理機能ＡＭＦノードとを有し、
前記ＡＭＦノードは、請求項１８乃至２２のうちいずれか一項に記載の装置である、
システム。
【請求項３８】
通信システムであって、該システムは、第１アクセスネットワークＡＮノードと、第２ＡＮノードと、アクセス制御及びモビリティ管理機能ＡＭＦノードとを有し、
前記ＡＭＦノードは、請求項２３乃至２９のうちいずれか一項に記載の装置である、
システム。
【請求項３９】
通信システムであって、該システムは、アクセス制御及びモビリティ管理機能ＡＭＦノードと、セッション管理機能ＳＭＦノードとを有し、
前記ＳＭＦノードは、請求項３０乃至３４のうちいずれか一項に記載の装置である、
システム。
【発明の詳細な説明】
【技術分野】
【０００１】
本願は、通信技術の分野に、特に、通信方法及び通信装置に関係がある。
【背景技術】
【０００２】
移動体通信技術の性能向上とともに、多くの革新的応用が、様々な産業に確かにもたらされ、移動体ブロードバンド、マルチメディア、マシンタイプ通信（ＭＴＣ，machine  type  communication）、工業制御、及びインテリジェント輸送システム（ＩＴＳ，intelligent  transportation  system）は、５Ｇ通信システムにおいて主要な使用ケースになると予想される。
【０００３】
５Ｇ通信システムでは、サービスデータを運ぶためにセッションが使用される。利用可能なセッションが存在しないとき、端末デバイスは、サービスデータを運ぶための適切なセッションを確立するために、セッション確立プロシージャを開始する必要がある。利用可能なセッションは存在するが、セッションが非アクティブ状態にあるとき、端末デバイスは、セッションをアクティブにするためにセッションアクティブ化プロシージャを開始する。利用可能なセッションが存在し、セッションがアクティブ状態にあるとき、端末デバイスは、セッションを使用することによってサービスデータを直接転送し得る。セッションが転送されるべきサービスデータを有さない場合には、セッションは非アクティブにされ得る。確かに、代替的には、他の要因によりセッションが非アクティブにされる場合が存在することがある。例えば、アクセスネットワークノードと端末デバイスとの間の無線接続は失われる。
【０００４】
セッションアクティブ化が成功するかどうかは、サービスが正常に送信され得るかどうかに直接作用する。広く変化するサービス要件を満たすように、セッションアクティブ化の成功率は、更に改善される必要がある。
【発明の概要】
【０００５】
本願の実施形態は、セッションアクティブ化の成功率を改善するように、通信方法及び通信装置を提供する。
【０００６】
第１の態様に従って、通信方法が提供される。方法は、端末デバイスが第１アクセスネットワークＡＮノードから第２ＡＮノードへ移動するシナリオに適用される。方法は、アクセス制御及びモビリティ管理機能ＡＭＦノードによって、第２ＡＮノードを使用することによって端末デバイスからアクティブにされるべきセッションの識別情報を受信することと、ＡＭＦノードによって、ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、ＡＭＦノードによって、端末デバイスのアクティブセッションの識別情報を運ぶコンテキスト解放完了メッセージを第１ＡＮノードから受信することと、アクティブにされるべきセッション及びアクティブセッションが同じセッションを有しているときに、ＡＭＦノードによって、同じセッションを非アクティブにすることを要求するために使用される第１要求メッセージを、同じセッションに対応するセッション管理機能ＳＭＦノードへ送ることと、ＡＭＦノードによって、同じセッションが非アクティブにされた後に、同じセッションをアクティブにすることを要求するために使用される第２要求メッセージをＳＭＦノードへ送ることとを含む。方法において、第２ＡＮノードを使用することによって端末デバイスからアクティブにされるべきセッションの識別情報を受信した後、ＡＭＦノードは、セッションをアクティブにすることを要求するために使用されるメッセージをＳＭＦノードへ直ちには送信しない。代わりに、ＡＭＦノードは、ＡＭＦノードと第１ＡＮノードとの間に端末デバイスのシグナリング接続が存在するときにシグナリング接続を解放する。例えば、ＡＭＦノードは、コンテキスト解放コマンドを第１ＡＮノードへ送り、端末デバイスのアクティブセッションの識別情報を受信する。アクティブセッション及びアクティブにされるべきセッションが同じセッションを有しているときに、ＡＭＦノードは最初に、同じセッションを非アクティブにすることを要求し、次いで、同じセッションをアクティブにすることを要求する。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【０００７】
第２の態様に従って、通信方法が提供される。方法は、端末デバイスが第１ＡＮノードから第２ＡＮノードへ移動するシナリオに適用される。方法は、ＡＭＦノードによって、第２ＡＮノードを使用することによって端末デバイスからアクティブにされるべきセッションの識別情報を受信することと、ＡＭＦノードによって、ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、ＡＭＦノードによって、端末デバイスのアクティブセッションの識別情報を運ぶコンテキスト解放完了メッセージを第１ＡＮノードから受信することと、アクティブにされるべきセッション及びアクティブセッションが同じセッションを有しているときに、ＡＭＦノードによって、同じセッションに対応するＳＭＦノードへ第１要求メッセージを送り、第１要求メッセージは、同じセッションをアクティブにすることを要求するために使用されるか、あるいは、第１要求メッセージは、最初に同じセッションを非アクティブにし、次いで同じセッションを再びアクティブにすることを要求するために使用されることとを含む。方法において、第２ＡＮノードを使用することによって端末デバイスからアクティブにされるべきセッションの識別情報を受信した後、ＡＭＦノードは、セッションをアクティブにすることを要求するために使用されるメッセージをＳＭＦノードへ直ちには送信しない。代わりに、ＡＭＦノードは、ＡＭＦノードと第１ＡＮノードとの間に端末デバイスのシグナリング接続が存在するときにシグナリング接続を解放する。例えば、ＡＭＦノードは、コンテキスト解放コマンドを第１ＡＮノードへ送り、端末デバイスのアクティブセッションの識別情報を受信する。アクティブセッション及びアクティブにされるべきセッションが同じセッションを有しているときに、ＡＭＦノードは最初に、同じセッションを非アクティブにすることを要求し、次いで、同じセッションをアクティブにすることを要求する。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【０００８】
第２の態様を参照して、第２の態様の第１の実施において、方法は、アクティブにされるべきセッション及びアクティブセッションが異なるセッションを有しているときに、ＡＭＦノードによって、アクティブにされるべきセッションにあるがアクティブセッションにないセッションに対応するＳＭＦノードへ第２要求メッセージを送り、アクティブセッションにあるがアクティブにされるべきセッションにないセッションに対応するＳＭＦノードへ第３要求メッセージを送ることを更に含む。
【０００９】
第２要求メッセージは、アクティブにされるべきセッションにあるがアクティブセッションにないセッションをアクティブにすることを要求するために使用され、第３要求メッセージは、アクティブセッションにあるがアクティブにされるべきセッションにないセッションを非アクティブにすることを要求するために使用される。方法に従って、アクティブ化又は非アクティブ化は、異なるセッションで実装される。
【００１０】
第２の態様を参照して、第２の態様の第２の実施において、第１要求メッセージが同じセッションをアクティブにすることを要求するために使用されるときに、第１要求メッセージは、削除指示情報を運び、削除指示情報は、同じセッションの（無線）アクセスネットワーク（Ｒ）ＡＮトンネル情報を削除することを指示するために使用される。すなわち、同じセッションがアクティブにされる前に、セッションの（Ｒ）ＡＮトンネル情報は削除される。このように、ＵＰＦノードが情報に基づいて端末デバイスのデータを第１ＡＮノードへ送るために引き起こされたデータ伝送失敗は、回避される。
【００１１】
第３の態様に従って、通信方法が提供される。方法は、端末デバイスが第１ＡＮノードから第２ＡＮノードへ移動するシナリオに適用される。方法は、ＡＭＦノードによって、第２ＡＮノードを使用することによって、端末デバイスからアクティブにされるべきセッションの識別情報を受信することと、ＡＭＦノードによって、アクティブにされるべきセッションの識別情報に基づいて、アクティブにされるべきセッションをアクティブにすることを要求するために使用される第１要求メッセージをＳＭＦノードへ送ることと、ＡＭＦノードによって、ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、ＡＭＦノードによって、端末デバイスのアクティブセッションの識別情報を運ぶコンテキスト解放完了メッセージを第１ＡＮノードから受信することと、アクティブにされるべきセッション及びアクティブセッションが同じセッションを有しているときに、ＡＭＦノードによって、同じセッションを非アクティブにすることを要求するために使用される第２要求メッセージを、同じセッションに対応するＳＭＦノードへ送ることをスキップすることとを含む。方法において、第２ＡＮノードを使用することによって端末デバイスからアクティブにされるべきセッションの識別情報を受信した後、ＡＭＦノードは、セッションをアクティブにするようＳＭＦノードに直ちに要求する。ＡＭＦノードは、ＡＭＦノードと第１ＡＮノードとの間に端末デバイスのシグナリング接続が存在するときにシグナリング接続を解放する。例えば、ＡＭＦノードは、コンテキスト解放コマンドを第１ＡＮノードへ送り、端末デバイスのアクティブセッションの識別情報を受信する。アクティブセッション及びアクティブにされるべきセッションが同じセッションを有しているときに、ＡＭＦノードは、同じセッションを非アクティブにすることをもはや要求しない。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【００１２】
第４の態様に従って、通信方法が提供される。方法は、端末デバイスが第１アクセスネットワークＡＮノードから第２ＡＮノードへ移動するシナリオに適用される。第１ＡＮノードは、第１アクセス制御及びモビリティ管理機能ＡＭＦノードによって管理され、第２ＡＮノードは、第２ＡＭＦノードによって管理される。方法は、第１ＡＭＦノードによって、端末デバイスのモビリティ管理ＭＭコンテキストMM  contextを要求するために使用される第１要求メッセージを第２ＡＭＦノードから受信することと、第１ＡＭＦノードによって、第１ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、第１ＡＭＦノードによって、端末デバイスのアクティブセッションの識別情報を運ぶコンテキスト解放完了メッセージを第１ＡＮノードから受信することと、第１ＡＭＦノードによって、アクティブセッションを非アクティブにすることを要求するために使用される第２要求メッセージを、アクティブセッションに対応するＳＭＦノードへ送ることと、第１ＡＭＦノードによって、アクティブセッションが非アクティブにされた後に、端末デバイスのＭＭコンテキストを運ぶ第１応答メッセージを第２ＡＭＦノードへ送ることとを含む。方法において、第１ＡＭＦノードは、端末デバイスのコンテキストを要求するために使用されるメッセージを第２ＡＭＦノードから受信する。第１ＡＭＦノードは、第１ＡＭＦノードと第１ＡＮノードとの間に端末デバイスのシグナリング接続が存在するときにシグナリング接続を解放する。例えば、コンテキスト解放コマンドを第１ＡＮノードへ送り、端末デバイスのアクティブセッションの識別情報を受信した後、第１ＡＭＦノードは、アクティブセッションを非アクティブにするようＳＭＦノードに要求し、非アクティブ化が成功した後に第２ＡＭＦノードへ端末デバイスのコンテキストを送る。それにより、対応するセッションは、第２ＡＭＦノードが端末デバイスのコンテキストを受信し、それからセッションをアクティブにすることを要求するときに、非アクティブにされることに成功している。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【００１３】
第５の態様に従って、通信方法が提供される。方法は、端末デバイスが第１アクセスネットワークＡＮノードから第２ＡＮノードへ移動するシナリオに適用される。第１ＡＮノードは、第１アクセス制御及びモビリティ管理機能ＡＭＦノードによって管理され、第２ＡＮノードは、第２ＡＭＦノードによって管理される。方法は、第１ＡＭＦノードによって、端末デバイスのモビリティ管理コンテキスト要求するために使用され且つ端末デバイスのアクティブにされるべきセッションの識別情報を運ぶ第１要求メッセージを第２ＡＭＦノードから受信することと、第１ＡＭＦノードによって、第１ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、第１ＡＭＦノードによって、端末デバイスのアクティブセッションの識別情報を運ぶコンテキスト解放完了メッセージを第１ＡＮノードから受信することと、第１ＡＭＦノードによって、端末デバイスのモビリティ管理コンテキストを運ぶ第１応答メッセージを第２ＡＭＦノードへ送ることとを含む。方法において、第１ＡＭＦノードは、第２ＡＭＦノードから、端末デバイスのコンテキストを要求するために使用されるメッセージを受信する。メッセージは、アクティブにされるべきセッションの識別情報を運ぶ。第１ＡＭＦノードは、第１ＡＭＦノードと第１ＡＮノードとの間に端末デバイスのシグナリング接続が存在するときにシグナリング接続を解放する。例えば、第１ＡＭＦノードは、コンテキスト解放コマンドを第１ＡＮノードへ送り、コンテキスト解放完了メッセージを受信した後に端末デバイスのコンテキストを第２ＡＭＦノードへ送る。このように、第２ＡＭＦノードは、第２ＡＭＦノードがセッションの識別子を受信した直後に、アクティブにされるべきセッションをアクティブにするようＳＭＦノードに要求せず、それによって、セッションアクティブ化の成功率は改善され、ユーザ経験は改善される。加えて、アクティブにされるべきセッションの識別情報に基づいて、第１ＡＭＦノードは、アクティブにされるべきセッションを非アクティブにするようＳＭＦノードに要求しない。このように、セッションをアクティブにすることが要求された直後にセッションを非アクティブにすることが要求されるために引き起こされた先行技術のアクティブ化失敗問題は解消される。
【００１４】
第５の態様を参照して、第５の態様の第１の実施において、アクティブにされるべきセッション及びアクティブセッションが同じセッションを有しているときに、第１応答メッセージは、同じセッションの識別情報を更に運ぶか、あるいは、
アクティブにされるべきセッション及びアクティブセッションが同じセッションを有してないときに、第１応答メッセージは、指示情報を更に運び、指示情報は、アクティブにされるべきセッション及びアクティブセッションが同じセッションを有していないことを示すために使用され、このとき、同じセッションの識別情報は、第２ＡＭＦノードによって、特別の処理を実行するよう、例えば、同じセッションに対応する（Ｒ）ＡＮトンネル情報を削除するようＳＭＦノードに要求するために使用されてよい。
【００１５】
第５の態様を参照して、第５の態様の第２の実施において、第１応答メッセージは、アクティブセッションの識別情報を更に運ぶ。アクティブセッションの識別情報は、第２ＡＭＦノードによって、アクティブセッション及びアクティブにされるべきセッションが同じセッションを有しているかどうかを決定するために使用されてよく、第２ＡＭＦノードは更に、特別の処理を実行するよう、例えば、同じセッションに対応する（Ｒ）ＡＮトンネル情報を削除するようＳＭＦノードに要求してよい。
【００１６】
第５の態様又は第５の態様の上記の実施のうちのどちら一方を参照して、第５の態様の第３の実施において、方法は、アクティブにされるべきセッション及びアクティブセッションが異なるセッションを有しているときに、第１ＡＭＦノードによって、アクティブセッションにあるがアクティブにされるべきセッションにないセッションを非アクティブにすることを要求するために使用される第２要求メッセージを、アクティブセッションにあるがアクティブにされるべきセッションにないセッションに対応するセッション管理機能ＳＭＦノードへ送ることを更に含む。このように、異なるセッションに対する非アクティブ化は実装される。
【００１７】
第６の態様に従って、通信方法が提供される。方法は、端末デバイスが第１アクセスネットワークＡＮノードから第２ＡＮノードへ移動するシナリオに適用される。第１ＡＮノードは、第１アクセス制御及びモビリティ管理機能ＡＭＦノードによって管理され、第２ＡＮノードは、第２ＡＭＦノードによって管理される。方法は、第２ＡＭＦノードによって、端末デバイスのモビリティ管理コンテキストを要求するために使用され且つ端末デバイスのアクティブにされるべきセッションの識別情報を運ぶ第１要求メッセージを第１ＡＭＦノードへ送ることと、第２ＡＭＦノードによって、端末デバイスのモビリティ管理コンテキストを運ぶ第１応答メッセージを第１ＡＭＦノードから受信することとを含む。アクティブにされるべきセッションの識別情報に基づいて、第１ＡＭＦノードは、アクティブにされるべきセッションを非アクティブにするようＳＭＦノードに要求しない。このように、セッションをアクティブにすることが要求された直後にセッションを非アクティブにすることが要求されるために引き起こされた先行技術のアクティブ化失敗問題は解消される。
【００１８】
第６の態様を参照して、第６の態様の第１の実施において、第１応答メッセージは、端末デバイスのアクティブセッションの識別情報を更に運び、方法は、アクティブにされるべきセッション及びアクティブセッションが同じセッションを有しているときに、第２ＡＭＦノードによって、同じセッションに対応するＳＭＦノードへ第２要求メッセージを送ることを更に含む。
【００１９】
第２要求メッセージは、同じセッションをアクティブにすることを要求するために使用されるか、あるいは、
第２要求メッセージは、同じセッションをアクティブにすることを要求するために使用され、第２要求メッセージは、削除指示情報を運び、削除指示情報は、同じセッションの（無線）アクセスネットワーク（Ｒ）ＡＮトンネル情報を削除することを指示するために使用されるか、あるいは、
第２要求メッセージは、最初に同じセッションを非アクティブにし、次いで同じセッションを再びアクティブにすることを要求するために使用される。
【００２０】
第６の態様を参照して、第６の態様の第２の実施において、第１応答メッセージは、同じセッションの識別情報を更に運び、同じセッションは、端末デバイスのアクティブセッションとアクティブにされるべきセッションとの間のセッションであり、方法は、
第２ＡＭＦノードによって、同じセッションに対応するＳＭＦノードへ第２要求メッセージを送ることを更に含む。
【００２１】
第２要求メッセージは、同じセッションをアクティブにすることを要求するために使用されるか、あるいは、
第２要求メッセージは、同じセッションをアクティブにすることを要求するために使用され、第２要求メッセージは、削除指示情報を運び、削除指示情報は、同じセッションの（Ｒ）ＡＮトンネル情報を削除することを指示するために使用されるか、あるいは、
第２要求メッセージは、最初に同じセッションを非アクティブにし、次いで同じセッションを再びアクティブにすることを要求するために使用される。
【００２２】
第７の態様に従って、通信方法が提供される。方法は、端末デバイスが第１アクセスネットワークＡＮノードから第２ＡＮノードへ移動するシナリオに適用される。第１ＡＮノードは、第１アクセス制御及びモビリティ管理機能ＡＭＦノードによって管理され、第２ＡＮノードは、第２ＡＭＦノードによって管理される。方法は、第１ＡＭＦノードによって、端末デバイスのモビリティ管理コンテキストを要求するために使用され且つ端末デバイスのアクティブにされるべきセッションの識別情報を運ぶ第１要求メッセージを第２ＡＭＦノードから受信することと、第１ＡＭＦノードによって、端末デバイスのモビリティ管理コンテキストを運ぶ第１応答メッセージを第２ＡＭＦノードへ送ることと、第１ＡＭＦノードによって、第１ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、第１ＡＭＦノードによって、端末デバイスのアクティブセッションの識別情報を運ぶコンテキスト解放完了メッセージを第１ＡＮノードから受信することと、アクティブにされるべきセッション及びアクティブセッションが同じセッションを有しているときに、第１ＡＭＦノードによって、同じセッションを非アクティブにすることを要求するために使用される第２要求メッセージを、同じセッションに対応するセッション管理機能ＳＭＦノードへ送ることをスキップすることとを含む。方法において、第２ＡＭＦノードから第１要求メッセージを受信した後、第１ＡＭＦノードは、第１要求メッセージに対応する応答メッセージにより直ちに応答する。このように、第２ＡＭＦノードは、応答メッセージを受信した後にセッションをアクティブにすることを要求し、そして、アクティブセッションの識別情報を受信した後、第１ＡＭＦノードは、アクティブセッション及びアクティブにされるべきセッションが同じセッションを有しているかどうかを決定する。第１ＡＭＦノードは、同じセッションを非アクティブにするようＳＭＦノードに要求しない。このように、セッションをアクティブにすることが要求された直後にセッションを非アクティブにすることが要求されるために引き起こされた先行技術のアクティブ化失敗問題は解消され、それによって、セッションアクティブ化の成功率は改善される。
【００２３】
第７の態様を参照して、第７の態様の第１の実施において、方法は、アクティブにされるべきセッション及びアクティブセッションが異なるセッションを有しているときに、第１ＡＭＦノードによって、アクティブセッションにあるがアクティブにされるべきセッションにないセッションを非アクティブにすることを要求するために使用される第３要求メッセージを、アクティブセッションにあるがアクティブにされるべきセッションにないセッションに対応するＳＭＦノードへ送ることを更に含む。
【００２４】
第８の態様に従って、通信方法が提供される。方法は、ＳＭＦノードによって、セッションをアクティブにすることを要求するために使用され且つ削除指示情報を運び、削除指示情報がセッションの（無線）アクセスネットワーク（Ｒ）ＡＮトンネル情報を削除することを指示するために使用される要求メッセージをアクセス制御及びモビリティ管理機能ＡＭＦノードから受信することと、ＳＭＦノードによって、削除指示情報に従ってセッションの（Ｒ）ＡＮトンネル情報を削除することと、ＳＭＦノードによって、セッションのコアネットワークトンネル情報を運ぶ応答メッセージをＡＭＦノードへ送ることとを含む。方法において、（Ｒ）ＡＮトンネル情報は削除される。このように、ＵＰＦノードが情報に基づいて第１ＡＮノードへ端末デバイスのデータを送るために引き起こされたデータ伝送失敗は、回避される。
【００２５】
第９の態様に従って、通信方法が提供される。方法は、セッション管理機能ＳＭＦノードによって、最初にセッションを非アクティブにし、次いでセッションを再びアクティブにすることを要求するために使用される要求メッセージをアクセス制御及びモビリティ管理機能ＡＭＦノードから受信することと、ＳＭＦノードによって、要求メッセージに基づいてセッションの（無線）アクセスネットワーク（Ｒ）ＡＮトンネル情報を削除することと、ＳＭＦノードによって、セッションのコアネットワークトンネル情報を運ぶ応答メッセージをＡＭＦノードへ送ることとを含む。方法において、（Ｒ）ＡＮトンネル情報は削除される。このように、ＵＰＦノードが情報に基づいて第１ＡＮノードへ端末デバイスのデータを送るために引き起こされたデータ伝送失敗は、回避される。
【００２６】
第１０の態様に従って、通信方法が提供される。方法は、セッション管理機能ＳＭＦノードによって、セッションをアクティブにすることを要求するために使用される要求メッセージをアクセス制御及びモビリティ管理機能ＡＭＦノードから受信することと、ＳＭＦノードによって、セッションがアクティブ状態にあるときにセッションの（無線）アクセスネットワーク（Ｒ）ＡＮトンネル情報を削除することとを含む。方法において、（Ｒ）ＡＮトンネル情報は削除される。このように、ＵＰＦノードが情報に基づいて第１ＡＮノードへ端末デバイスのデータを送るために引き起こされたデータ伝送失敗は、回避される。
【００２７】
第１１の態様に従って、第１の態様における方法のステップを実行するよう構成されたユニット又は手段（means）を含む通信装置が提供される。通信装置は、ＡＭＦノードであってよく、あるいは、少なくとも１つの処理要素又はチップであってよい。
【００２８】
第１２の態様に従って、第２の態様又は第２の態様のいずれかの実施における方法のステップを実行するよう構成されたユニット又は手段（means）を含む通信装置が提供される。通信装置は、ＡＭＦノードであってよく、あるいは、少なくとも１つの処理要素又はチップであってよい。
【００２９】
第１３の態様に従って、第３の態様又は第３の態様のいずれかの実施における方法のステップを実行するよう構成されたユニット又は手段（means）を含む通信装置が提供される。通信装置は、ＡＭＦノードであってよく、あるいは、少なくとも１つの処理要素又はチップであってよい。
【００３０】
第１４の態様に従って、第４の態様又は第４の態様のいずれかの実施における方法のステップを実行するよう構成されたユニット又は手段（means）を含む通信装置が提供される。通信装置は、ＡＭＦノードであってよく、あるいは、少なくとも１つの処理要素又はチップであってよい。
【００３１】
第１５の態様に従って、第５の態様又は第５の態様のいずれかの実施における方法のステップを実行するよう構成されたユニット又は手段（means）を含む通信装置が提供される。通信装置は、ＡＭＦノードであってよく、あるいは、少なくとも１つの処理要素又はチップであってよい。
【００３２】
第１６の態様に従って、第６の態様又は第６の態様のいずれかの実施における方法のステップを実行するよう構成されたユニット又は手段（means）を含む通信装置が提供される。通信装置は、ＡＭＦノードであってよく、あるいは、少なくとも１つの処理要素又はチップであってよい。
【００３３】
第１７の態様に従って、第７の態様又は第７の態様のいずれかの実施における方法のステップを実行するよう構成されたユニット又は手段（means）を含む通信装置が提供される。通信装置は、ＡＭＦノードであってよく、あるいは、少なくとも１つの処理要素又はチップであってよい。
【００３４】
第１８の態様に従って、第８の態様又は第８の態様のいずれかの実施における方法のステップを実行するよう構成されたユニット又は手段（means）を含む通信装置が提供される。通信装置は、ＡＭＦノードであってよく、あるいは、少なくとも１つの処理要素又はチップであってよい。
【００３５】
第１９の態様に従って、第９の態様又は第９の態様のいずれかの実施における方法のステップを実行するよう構成されたユニット又は手段（means）を含む通信装置が提供される。通信装置は、ＡＭＦノードであってよく、あるいは、少なくとも１つの処理要素又はチップであってよい。
【００３６】
第２０の態様に従って、第１０の態様又は第１０の態様のいずれかの実施における方法のステップを実行するよう構成されたユニット又は手段（means）を含む通信装置が提供される。通信装置は、ＡＭＦノードであってよく、あるいは、少なくとも１つの処理要素又はチップであってよい。
【００３７】
第２１の態様に従って、プロセッサ及びメモリを含む通信装置が提供される。メモリは、プログラムを記憶するよう構成され、プロセッサは、メモリに記憶されているプログラムを呼び出して、第１の態様又は第１の態様のいずれかの実施における方法を実行する。通信装置は、ＡＭＦノードであってよく、あるいは、少なくとも１つの処理要素又はチップであってよい。
【００３８】
第２２の態様に従って、プロセッサ及びメモリを含む通信装置が提供される。メモリは、プログラムを記憶するよう構成され、プロセッサは、メモリに記憶されているプログラムを呼び出して、第２の態様又は第２の態様のいずれかの実施における方法を実行する。通信装置は、ＡＭＦノードであってよく、あるいは、少なくとも１つの処理要素又はチップであってよい。
【００３９】
第２３の態様に従って、プロセッサ及びメモリを含む通信装置が提供される。メモリは、プログラムを記憶するよう構成され、プロセッサは、メモリに記憶されているプログラムを呼び出して、第３の態様又は第３の態様のいずれかの実施における方法を実行する。通信装置は、ＡＭＦノードであってよく、あるいは、少なくとも１つの処理要素又はチップであってよい。
【００４０】
第２４の態様に従って、プロセッサ及びメモリを含む通信装置が提供される。メモリは、プログラムを記憶するよう構成され、プロセッサは、メモリに記憶されているプログラムを呼び出して、第４の態様又は第４の態様のいずれかの実施における方法を実行する。通信装置は、ＡＭＦノードであってよく、あるいは、少なくとも１つの処理要素又はチップであってよい。
【００４１】
第２５の態様に従って、プロセッサ及びメモリを含む通信装置が提供される。メモリは、プログラムを記憶するよう構成され、プロセッサは、メモリに記憶されているプログラムを呼び出して、第５の態様又は第５の態様のいずれかの実施における方法を実行する。通信装置は、ＡＭＦノードであってよく、あるいは、少なくとも１つの処理要素又はチップであってよい。
【００４２】
第２６の態様に従って、プロセッサ及びメモリを含む通信装置が提供される。メモリは、プログラムを記憶するよう構成され、プロセッサは、メモリに記憶されているプログラムを呼び出して、第６の態様又は第６の態様のいずれかの実施における方法を実行する。通信装置は、ＡＭＦノードであってよく、あるいは、少なくとも１つの処理要素又はチップであってよい。
【００４３】
第２７の態様に従って、プロセッサ及びメモリを含む通信装置が提供される。メモリは、プログラムを記憶するよう構成され、プロセッサは、メモリに記憶されているプログラムを呼び出して、第７の態様又は第７の態様のいずれかの実施における方法を実行する。通信装置は、ＡＭＦノードであってよく、あるいは、少なくとも１つの処理要素又はチップであってよい。
【００４４】
第２８の態様に従って、プロセッサ及びメモリを含む通信装置が提供される。メモリは、プログラムを記憶するよう構成され、プロセッサは、メモリに記憶されているプログラムを呼び出して、第８の態様又は第８の態様のいずれかの実施における方法を実行する。通信装置は、ＡＭＦノードであってよく、あるいは、少なくとも１つの処理要素又はチップであってよい。
【００４５】
第２９の態様に従って、プロセッサ及びメモリを含む通信装置が提供される。メモリは、プログラムを記憶するよう構成され、プロセッサは、メモリに記憶されているプログラムを呼び出して、第９の態様又は第９の態様のいずれかの実施における方法を実行する。通信装置は、ＡＭＦノードであってよく、あるいは、少なくとも１つの処理要素又はチップであってよい。
【００４６】
第３０の態様に従って、プロセッサ及びメモリを含む通信装置が提供される。メモリは、プログラムを記憶するよう構成され、プロセッサは、メモリに記憶されているプログラムを呼び出して、第１０の態様又は第１０の態様のいずれかの実施における方法を実行する。通信装置は、ＡＭＦノードであってよく、あるいは、少なくとも１つの処理要素又はチップであってよい。
【００４７】
第３１の態様に従って、プログラムが提供され、プログラムは、プログラムがプロセッサによって実行されるときに第１の態様乃至第１０の態様のうちのいずれかの態様における方法を実行するために使用される。
【００４８】
第３２の態様に従って、第３１の態様におけるプログラムを含むコンピュータ可読記憶媒体が提供される。
【図面の簡単な説明】
【００４９】
【図１】５Ｇ通信システムの略アーキテクチャ図である。
【図２】本願の第１実施形態に従う通信方法の概略図である。
【図３】本願の第２実施形態に従う通信方法の概略図である。
【図４】本願の第３実施形態に従う通信方法の概略図である。
【図５】本願の第４実施形態に従う通信方法の概略図である。
【図６】本願の第５実施形態に従う通信方法の概略図である。
【図７】本願の第６実施形態に従う通信方法の概略図である。
【図８】本願の第７実施形態に従う通信方法の概略図である。
【図９】本願の第８実施形態に従う通信方法の概略図である。
【図１０】本願の第９実施形態に従う通信装置の略構造図である。
【図１１】本願の第１０実施形態に従う通信装置の略構造図である。
【図１２】本願の第１１実施形態に従う通信装置の略構造図である。
【図１３】本願の第１２実施形態に従う通信装置の略構造図である。
【図１４】本願の第１３実施形態に従う通信装置の略構造図である。
【図１５】本願の第１４実施形態に従う通信装置の略構造図である。
【図１６】本願の第１５実施形態に従う通信装置の略構造図である。
【図１７】本願の第１６実施形態に従う通信装置の略構造図である。
【図１８】本願の第１７実施形態に従う通信装置の略構造図である。
【図１９】本願の第１８実施形態に従う通信装置の略構造図である。
【図２０】本願の第１９実施形態に従う通信装置の略構造図である。
【図２１】本願の第２０実施形態に従う通信装置の略構造図である。
【発明を実施するための形態】
【００５０】
以下は、本願の実施形態における添付の図面を参照して、本願の実施形態における技術的解決法について記載する。
【００５１】
本願の実施形態は、５Ｇ通信システムに適用されてよく、あるいは、後続の進化したシステムに適用されてもよい。
【００５２】
図１は、５Ｇ通信システムのアーキテクチャ図である。５Ｇ通信システムは主に、アクセス制御及びモビリティ管理機能（access  control  and  mobility  management  function，ＡＭＦ）ノード、セッション管理機能（session  management  function，ＳＭＦ）ノード、ユーザプレーン機能（User  Plane  Function，ＵＰＦ）ノード、ポリシー制御機能（policy  control  function，ＰＣＦ）ノード、統合デバイス管理（unified  device  management，ＵＤＭ）ノード、アプリケーション機能（application  function，ＡＦ）ノード、データネットワーク（data  network，ＤＮ）ノード、認証サーバ機能（authentication  server  function，ＡＵＳＦ）ノード（無線）アクセスネットワーク（(radio)  access  network，（Ｒ）ＡＮ）ノード、並びに端末デバイスを含む。
【００５３】
（Ｒ）ＡＮノードは、無線物理レイヤ機能、リソーススケジューリング及び無線リソース管理、並びに無線アクセス制御及びモビリティ管理機能を実装する。（Ｒ）ＡＮは、端末デバイスのデータを転送するために、ユーザプレーンインターフェイスＮ３を使用することによってＵＰＦノードへ接続されてよい。無線アクセスベアラ制御などの機能を実装するために、（Ｒ）ＡＮノードとＡＭＦノードとの間には、制御プレーンインターフェイスＮ２を使用することによって、制御プレーンシグナリング接続が更に確立されてよい。
【００５４】
ＡＭＦノードは主に、端末デバイス認証、モビリティ管理、ネットワークスライス選択、及びＳＭＦノード選択などの機能に関与する。Ｎ１シグナリング接続及びＮ２シグナリング接続のためのアンカーとして、ＡＭＦノードはまた、Ｎ１／Ｎ２セッション管理（session  management，ＳＥ）メッセージをＳＭＦノードへ送り、端末デバイスのステータス情報を保持及び管理する。
【００５５】
ＳＭＦノードは主に、ＵＰＦノード選択、ＩＰアドレス割り当て、セッションのクオリティ・オブ・サービス（quality  of  service，ＱｏＳ）管理、ＰＣＦノードからポリシー及び課金制御（policy  and  charging  control）ポリシーを取得すること、などを含む端末デバイスのセッション管理に関与する。
【００５６】
ＵＰＦノードは、ＰＤＵセッション接続のアンカーとして役割を果たす。ＵＰＦノードは、ユーザ機器のデータパケットフィルタリング、データ伝送／転送、レート制御、課金情報生成、などに関与する。
【００５７】
ＰＣＦノードは、セキュリティポリシーをネットワークエンティティ（例えば、ＡＮノード又はＵＰＦノード）へ割り当てる。
【００５８】
ＵＤＭノードは、ユーザのサブスクリプション情報を記憶する。
【００５９】
ＤＮは、外部データネットワークサービスを提供する。
【００６０】
ＡＦノードは、アプリケーションレイヤサービスを提供する。
【００６１】
ＡＵＳＦノードは、端末デバイスとネットワーク側との間のセキュリティ認証のために使用される。
【００６２】
端末デバイスは、無線通信機能を備えている様々な手持ち式デバイス、車載デバイス、装着型デバイス、若しくはコンピュータデバイス、又は無線モデムへ接続された他の処理デバイス、及び水量計、電気メータ、若しくはセンサなどの様々な形をとる端末、移動局（mobile  station，ＭＳ）、端末（terminal）、ユーザ装置（user  equipment，ＵＥ）、ソフトウェア端末、などを含んでよい。
【００６３】
本願において、セッションのアクティブ化及びセッションの非アクティブ化の具体的なプロシージャは、先行技術の方法を使用してもよい。これは制限されない。
【００６４】
本願において、「複数の〜」は、２以上を意味し、「及び／又は」は、関連するオブジェクトの間の関連関係を記載し、３つの関係が存在する可能性があることを表す。例えば、Ａ及び／又はＢは、次の３つの場合：Ａのみが存在、Ａ及びＢの両方が存在、並びにＢのみが存在、を表し得る。文字「／」は、一般に、関連するオブジェクトの間の“論理和”関係を示す。
【００６５】
本願において、各実施形態においてステップを実行する順序は厳密に制限されず、交換又は調整されてよい。実施形態は相互参照されてもよい。同じ又は類似したステップ又は名詞は、再び１つずつ説明されない。
【００６６】
本願において、関連メッセージは、サービス様態において実装されてもよい。すなわち、メッセージは、対応するサービスメッセージにより置換されてよい。これは制限されない。加えて、ＡＭＦノード及びＳＭＦノードは両方とも、同じ又は類似した機能を有しているデバイスにより置換されてよく、独立した物理デバイスであっても又は物理デバイス上の機能モジュールであってもよい。これは制限されない。
【００６７】
本願で言及されている例は、例が最適であることを意味しないことが留意されるべきである。本願で言及されている「第１」、「第２」などは、単に、異なる情報、メッセージ、又は他のオブジェクトを区別するために使用され、順序関係を意味しない。
【００６８】
本願の発明者は、研究過程で次の場合を見つける。端末デバイスがＡＮノード１からＡＮノード２へ移動するときに、ＡＭＦノードでの端末デバイスの状態は、接続管理（connection  management，ＣＭ）−接続（CM-Connected）状態である。それは、Ｎ２シグナリング接続がＡＭＦノードとＡＮノード１との間で維持されていることを示す。ＡＭＦノードは最初に、ＡＮノード２から端末デバイスのＮＡＳシグナリング要求を受信し、このとき、ＮＡＳシグナリング要求は、アクティブにされるべきパケットデータユニット（packet  data  unit，ＰＤＵ）セッションの識別子（アクティブにされるべきＰＤＵセッションＩＤ）、例えば、登録要求（registration  request）又はサービス要求（service  request）を運ぶ。ＡＭＦノードは、セッションをアクティブにするようＳＭＦノードに直接要求する。次いで、ＡＭＦノードがＡＮノード１から端末デバイスのアクティブセッションのリスト、例えば、アクティブなＮ３インターフェイスユーザプレーントンネルによるＰＤＵセッションのセッション識別子のリスト（アクティブなＮ３ユーザプレーンによるＰＤＵセッションＩＤのリスト）を受信するとき、ＡＭＦノードは、セッションを非アクティブにするようＳＭＦノードに要求する。アクティブにされるべきＰＤＵセッションＩＤ及びアクティブなＮ３ユーザプレーンによるＰＤＵセッションＩＤのリストが交わるか又は重なり合うか又は部分的に同じであるとき、端末デバイスがアクティブにすることを要求するセッションは、最終的に非アクティブにされる。すなわち、セッションアクティブ化は失敗する。
【００６９】
見出された上記の問題のために、本願は、上記の問題を解決するために、以下の実施形態を提供する。
【００７０】
図２に示されるように、本願の第１実施形態は、通信方法を提供する。方法は、端末デバイスが第１ＡＮノードから第２ＡＮノードへ移動するシナリオに適用され得る。方法は、具体的に、次のとおりである。
【００７１】
２０１．ＡＭＦノードは、第２ＡＮノードを使用することによって端末デバイスからアクティブにされるべきセッションの識別情報を受信する。
【００７２】
アクティブにされるべきセッションの識別情報は、アクティブにされるべきセッションを識別するために使用され得る。識別情報は、セッションの識別子、例えば、セッションＩＤであってよく、あるいは、ビット列であってよい。具体的に、ビット列に含まれる各ビットは、１つのセッションに対応し得る。ビット“１”は、そのビットに対応するセッションがアクティブにされるべきセッションであることを示し得る。すなわち、セッションは、アクティブにされる必要がある。例えば、ビット列は“１００１００００００１０１１０１”であり、第１セッションから第１６セッションまでの全部で１６のセッションに対応する、第１セッション、第３セッション、第４セッション、第６セッション、第１３セッション、及び第１６セッションは、アクティブにされる必要があり、すなわち、アクティブにされるべきセッションである。各セッションは、異なる番号のセッションに対応し得る。例えば、セッションが１から番号付けされるとき、第１セッション、第３セッション、第４セッション、第６セッション、第１３セッション、及び第１６セッションは夫々、セッション１、セッション３、セッション４、セッション６、セッション１３、及びセッション１６であってよい。セッションが０から番号付けされるときには、第１セッション、第３セッション、第４セッション、第６セッション、第１３セッション、及び第１６セッションは夫々、セッション０、セッション２、セッション３、セッション５、セッション１２、及びセッション１５であってよい。確かに、アクティブにされるべきセッションの識別情報は、代替的に、他の形式での指示情報であってもよい。
【００７３】
アクティブにされるべきセッションの識別情報は、登録要求メッセージ又はサービス要求メッセージにおいて運ばれてよい。登録要求メッセージ又はサービス要求メッセージは、１つ以上のアクティブにされるべきセッションの識別情報を運んでよい。これは制限されない。
【００７４】
具体的に、端末デバイスは、第１ＡＮノードのサービス範囲内で無線リソース制御（radio  resource  control，ＲＲＣ）非アクティブ（RRC-inactive）状態にある場合がある。端末デバイスが第２ＡＮノードへ移動した後、端末デバイスは、ＲＲＣ接続再開（RRC  connection  resume）プロシージャを開始する。ＲＲＣ接続再開が失敗するとき（例えば、第２ＡＮノードがＲＲＣ非アクティブ状態をサポートしないため）、端末デバイスはＣＭ−遊休（CM-IDLE）状態へ切り替わり、登録要求プロシージャ又はサービス要求プロシージャを開始する。具体的に言えば、端末デバイスは、第２ＡＮノードへ登録要求メッセージ又はサービス要求メッセージを送る。登録要求メッセージ又はサービス要求メッセージは、アクティブにされるべきセッションの識別情報を運んでよい。
【００７５】
アクティブにされるべきセッションは、端末デバイスがアクティブにすることを要求するセッションであってよい。これは制限されない。
【００７６】
２０２．ＡＭＦノードは、ＡＭＦノードと第１ＡＮノードとの間に端末デバイスのシグナリング接続が存在するときに、第１ＡＮノードへコンテキスト解放コマンドを送る。
【００７７】
コンテキスト解放コマンドは、端末デバイスのコンテキストを解放することを指示するために使用され、コンテキスト解放コマンドは、端末デバイスの識別情報を運んでもよい。
【００７８】
端末デバイスの識別情報は、第１ＡＮノードによって端末デバイスへ割り当てられた次世代アプリケーションプロトコル識別子（ＡＮ  ＵＥ  ＮＧ−ＡＰ  ＩＤ）、又は第１ＡＮノードによって端末デバイスに割り当てられたＮ２インターフェイスアプリケーションプロトコル識別子（ＡＮ  UE  Ｎ２−ＡＰ  ＩＤ）であってよい。
【００７９】
シグナリング接続は、端末デバイスのシグナリング、例えば、ＡＭＦノードによって端末デバイスへ送られたシグナリング又は端末デバイスによってＡＭＦノードへ送られたシグナリングを送信するために使用され得る。シグナリング接続は、具体的に、非アクセス層（non-access  stratum，ＮＡＳ）接続又はＮ２接続であってよい。具体的に、ＡＭＦノードでの端末デバイスのＣＭ状態がＣＭ−接続（CM-Connected）状態であるときに、ＡＭＦノードは、ＡＭＦノードと第１ＡＮノードとの間に端末デバイスのシグナリング接続が存在すると決定し得る。任意に、ＡＭＦノードと第１ＡＮノードとの間に端末デバイスのシグナリング接続が存在するとき、それはまた、端末デバイスのＮＡＳシグナリング接続がＡＭＦノードと端末デバイスとの間に存在することも意味する。
【００８０】
２０３．ＡＭＦノードは、端末デバイスのアクティブセッションの識別情報を運ぶコンテキスト解放完了メッセージを第１ＡＮノードから受信する。
【００８１】
アクティブセッションの識別情報は、アクティブなセッションを識別するために使用され、セッションのＩＤであっても又はビット列であってもよい。具体的に、ビット列に含まれる各ビットは、１つのセッションに対応し得る。例えば、ビット“１”は、そのビットに対応するセッションがアクティブ状態にあることを示し得る。これは、アクティブにされるべきセッションのビット列と同様である。詳細は再びは記載されない。例えば、アクティブセッションの識別情報は、アクティブなＮ３ユーザプレーンによるＰＤＵセッションＩＤのリストであってよい。
【００８２】
アクティブセッションは、第１ＡＮノードでの端末デバイスのアクティブなセッションであってよい。これは制限されない。
【００８３】
ステップ２０１において、アクティブにされるべきセッションは１つ以上あってもよく、ステップ２０３において、アクティブセッションも１つ以上あってもよいことが留意されるべきである。これは制限されない。
【００８４】
２０４．アクティブにされるべきセッション及びアクティブセッションが同じセッションを有しているとき、ＡＭＦノードは、同じセッションに対応するＳＭＦノードへ２ａ要求メッセージを送る。
【００８５】
アクティブにされるべきセッション及びアクティブセッションが同じセッションを有していることは、次のとおりであってよい。アクティブにされるべきセッション及びアクティブセッションは、交わるか又は重なり合うか又は少なくとも１つの同じセッションを有する。相応して、同じセッションは、共通集合内のセッション又は重複範囲内のセッションと呼ばれ得る。これは制限されない。
【００８６】
例えば、アクティブにされるべきセッションの数及びアクティブセッションの数が両方とも１であるとき、アクティブにされるべきセッション及びアクティブセッションが同じセッションを有していることは、次のとおりであり得る。アクティブにされるべきセッションは、アクティブセッションと同じである。
【００８７】
他の例として、アクティブにされるべきセッションの数及びアクティブセッションの数が両方とも１よりも多いとき、アクティブにされるべきセッション及びアクティブセッションが同じセッションを有していることは、次のとおりであり得る。アクティブにされるべきセッション及びアクティブセッションは、交わるか又は重なり合う。共通集合又は重複範囲には１つ以上のセッションが存在し得る。具体的に、アクティブにされるべきセッションの数が１であり、アクティブセッションの数が１よりも多い場合には、アクティブセッションは、アクティブにされるべきセッションを含む。アクティブにされるべきセッションが１よりも多く、アクティブセッションの数が１である場合には、アクティブにされるべきセッションは、アクティブセッションを含む。
【００８８】
２ａ要求メッセージは、同じセッションを非アクティブにすることを要求するために使用されてよく、同じセッションの識別情報を運んでよい。同じセッションの識別情報は、同じセッションを識別するために使用され、セッションの識別子又はビット列であってよい。例えば、ビット列に含まれる各ビットは、１つのセッションに対応してよく、ビット“１”は、そのビットに対応するセッションが同じセッションであることを示し得る。詳細については、アクティブにされるべきセッションの識別情報の関連する記載を参照されたい。詳細は再びは記載されない。
【００８９】
具体的に、２ａ要求メッセージは、アップデートセッション管理コンテキスト要求（update  SM  context  request）メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、非アクティブ化指示情報を運んでもよい。非アクティブ化指示情報は、アップデートセッション管理コンテキスト要求メッセージがセッションを非アクティブにすることを要求するために使用されることを示すために使用される。
【００９０】
ＡＭＦノードによって送られる２ａ要求メッセージの数は、同じセッションに対応する異なるＳＭＦノードの数と同じであってよいことが留意されるべきである。
【００９１】
第１の例において、同じセッションが同じＳＭＦノードに対応するとき。例えば、同じセッションの数が１であるとき、１つの２ａ要求メッセージが存在してよく、２ａ要求メッセージは、同じセッションの識別情報を運ぶ。
【００９２】
第２の例において、同じセッションが異なるＳＭＦノードに対応するとき、複数の２ａ要求メッセージが存在してよい。この場合に、ＡＭＦノードがステップ２０４で同じセッションに対応するＳＭＦノードへ２ａ要求メッセージを送ることは、次のとおりであってよい。ＡＭＦノードは、同じセッションに対応する異なるＳＭＦノードの夫々へ２ａ要求メッセージを送る。この場合に、２ａ要求メッセージは、同じセッションの中のいくつかのセッションの識別情報を運んでよい。
【００９３】
例えば、同じセッションに対応する異なるＳＭＦノードは、ＳＭＦノード１及びＳＭＦノード２を含むと仮定される。この場合に、ＡＭＦノードがステップ２０４で同じセッションに対応するＳＭＦノードへ２ａ要求メッセージを送ることは、具体的に次のとおりであってよい。ＡＭＦノードは、ＳＭＦノード１へ２ａ要求メッセージを送り、このとき、２ａ要求メッセージは、同じセッションの中のＳＭＦノード１に対応するセッションを非アクティブにすることを要求するために使用され、そして、ＡＭＦノードは、ＳＭＦノード２へ２ａ要求メッセージを送り、このとき、２ａ要求メッセージは、同じセッションの中のＳＭＦノード２に対応するセッションを非アクティブにすることを要求するために使用される。
【００９４】
同じセッションに対応するＳＭＦノードは、同じセッションのためにサービスを提供するＳＭＦノードであってよい。これは制限されない。
【００９５】
２０５．ＡＭＦノードは、同じセッションが非アクティブにされた後にＳＭＦノードへ２ｂ要求メッセージを送る。
【００９６】
２ｂ要求メッセージは、同じセッションをアクティブにすることを要求するために使用され、同じセッションの識別情報を運んでもよい。上記の関連する記載を参照されたい。
【００９７】
加えて、１つ以上の２ｂ要求メッセージが存在してよい。これは、ステップ２０４における２ａ要求メッセージと同様である。詳細は再びは記載されない。
【００９８】
具体的に、２ｂ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでもよい。アクティブ化指示情報は、アップデートセッション管理コンテキスト要求メッセージがセッションをアクティブにすることを要求するために使用されることを示すために使用される。
【００９９】
アクティブ化指示情報及び非アクティブ化指示情報は、同じ指示ビットに対してセットされた異なる値であってよいことが留意されるべきである。これは制限されない。
【０１００】
具体的に、２ａ要求メッセージに対応する応答メッセージをＳＭＦノードから受信した後、ＡＭＦノードは、２ｂ要求メッセージをＳＭＦノードへ送る。例えば、２ａ要求メッセージは、Ｎｓｍｆ＿ＰＤＵＳｅｓｓｉｏｎ＿ｕｐｄａｔｅＳＭＣｏｎｔｅｘｔ  Ｒｅｑｕｅｓｔであると仮定される。この場合に、ＡＭＦノードが２ａ要求メッセージに対応する応答メッセージＮｓｍｆ＿ＰＤＵＳｅｓｓｉｏｎ＿ｕｐｄａｔｅＳＭＣｏｎｔｅｘｔ  Ｒｅｓｐｏｎｓｅを受信するとき、それは、同じセッションが非アクティブにされていることを示し得る。
【０１０１】
上記の実施形態で提供される方法において、第２ＡＮノードを使用することによって端末デバイスからアクティブにされるべきセッションの識別情報を受信した後、ＡＭＦノードは、セッションをアクティブにすることを要求するために使用されるメッセージをＳＭＦノードへ直ちには送信しない。代わりに、ＡＭＦノードは、ＡＭＦノードと第１ＡＮノードとの間に端末デバイスのシグナリング接続が存在するときにシグナリング接続を解放する。例えば、ＡＭＦノードは、コンテキスト解放コマンドを第１ＡＮノードへ送り、端末デバイスのアクティブセッションの識別情報を受信する。アクティブセッション及びアクティブにされるべきセッションが同じセッションを有しているときに、ＡＭＦノードは最初に、同じセッションを非アクティブにすることを要求し、次いで、同じセッションをアクティブにすることを要求する。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【０１０２】
図３に示されるように、本願の第２実施形態は、通信方法を提供する。方法は、端末デバイスが第１ＡＮノードから第２ＡＮノードへ移動するシナリオに適用され得る。方法は、具体的に、次のとおりである。
【０１０３】
３０１．ＡＭＦノードは、第２ＡＮノードを使用することによって端末デバイスからアクティブにされるべきセッションの識別情報を受信する。
【０１０４】
アクティブにされるべきセッションの識別情報は、登録要求メッセージ又はサービス要求メッセージにおいて運ばれてよい。登録要求メッセージ又はサービス要求メッセージは、１つ以上のアクティブにされるべきセッションの識別情報を運んでよい。これは制限されない。
【０１０５】
具体的に、端末デバイスは、第１ＡＮノードのサービス範囲内でＲＲＣ−非アクティブ状態にある場合がある。端末デバイスが第２ＡＮノードへ移動した後、端末デバイスは、ＲＲＣ接続再開プロシージャを開始する。端末デバイスはＣＭ−遊休状態へ切り替わり、登録要求プロシージャ又はサービス要求プロシージャを開始する。具体的に言えば、端末デバイスは、第２ＡＮノードへ登録要求メッセージ又はサービス要求メッセージを送る。登録要求メッセージ又はサービス要求メッセージは、アクティブにされるべきセッションの識別情報を運んでよい。
【０１０６】
３０２．ＡＭＦノードは、ＡＭＦノードと第１ＡＮノードとの間に端末デバイスのシグナリング接続が存在するときに、第１ＡＮノードへコンテキスト解放コマンドを送る。
【０１０７】
コンテキスト解放コマンドは、端末デバイスのコンテキストを解放することを指示するために使用され、コンテキスト解放コマンドは、端末デバイスの識別情報を運んでもよい。詳細については、ステップ２０２の関連する記載を参照されたい。詳細は再びは記載されない。
【０１０８】
３０３．ＡＭＦノードは、コンテキスト解放完了メッセージを第１ＡＮノードから受信する。
【０１０９】
コンテキスト解放完了メッセージは、端末デバイスのアクティブセッションの識別情報を運ぶ。アクティブセッションは、第１ＡＮノードでの端末デバイスのアクティブなセッションであってよい。これは制限されない。
【０１１０】
３０４．アクティブにされるべきセッション及びアクティブセッションが同じセッションを有しているとき、ＡＭＦノードは、同じセッションに対応するＳＭＦノードへ３ａ要求メッセージを送る。
【０１１１】
３ａ要求メッセージは、同じセッションをアクティブにすることを要求するために使用されてよく、同じセッションの識別情報を運んでよい。図２に示される実施形態における２ｂ要求メッセージの関連する記載を参照されたい。詳細は再びは記載されない。
【０１１２】
３０５．ＳＭＦノードは、３ａ要求メッセージを受信する。
【０１１３】
３０６．３ａ要求メッセージを使用することによってアクティブにされるよう要求されたセッションがアクティブ状態であるとき、ＳＭＦノードは、セッションの（Ｒ）ＡＮトンネル情報（(R)AN  tunnel  info）を削除する。
【０１１４】
具体的に、３ａ要求メッセージを受信した後、３ａ要求メッセージに基づいてセッションをアクティブにする前に、ＳＭＦノードは、セッションがアクティブ状態にあるかどうかを決定する。セッションがアクティブ状態にある場合、例えば、ＳＭＦノードが、セッションの状態を保持し、セッションに対応する、ＳＭＦノードに保持されている状態がアクティブ状態である（例えば、ＳＭＦノードによって保持されているセッションのセッションコンテキストが（Ｒ）ＡＮトンネル情報を含む）場合には、ＳＭＦノードは、セッションの（Ｒ）ＡＮトンネル情報を削除する。セッションが非アクティブ状態にある（例えば、ＳＭＦノードによって保持されているセッションのセッションコンテキストが（Ｒ）ＡＮトンネル情報を含まない）場合には、ＳＭＦノードはセッションをアクティブにする。
【０１１５】
ＳＭＦノードは、セッション１及び２をアクティブにすることを要求するための３ａ要求メッセージを受信し、ＳＭＦノードでのセッション１の状態はアクティブ状態であり、ＳＭＦノードでのセッション２の状態は非アクティブ状態であると仮定される。この場合に、ＳＭＦノードは、セッション１の（Ｒ）ＡＮトンネル情報を削除し、セッション２をアクティブにする。
【０１１６】
３ａ要求メッセージを使用することによってアクティブにされるよう要求される１つ以上のセッションが存在してよいことが留意されるべきである。しかし、ステップ３０６で３ａ要求メッセージを使用することによってアクティブにされるよう要求されるセッションは、３ａ要求メッセージを使用することによって要求される全てのセッションの中のいくつかのセッション、例えば、ＳＭＦノードでのアクティブセッションであってよい。これは制限されない。
【０１１７】
任意に、ステップ３０６の後、方法は、ＳＭＦノードが３ａ応答メッセージをＡＭＦノードへ送ることを更に含み、このとき、３ａ応答メッセージは、セッションのコアネットワークトンネル情報を運ぶ。
【０１１８】
具体的に、３ａ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでもよい。アクティブ化指示情報は、アップデートセッション管理コンテキスト要求メッセージがセッションをアクティブにすることを要求するために使用されることを示すために使用される。３ａ応答メッセージは、Ｎｓｍｆ＿ＰＤＵＳｅｓｓｉｏｎ＿ｕｐｄａｔｅＳＭＣｏｎｔｅｘｔ  Ｒｅｓｐｏｎｓｅであってよい。
【０１１９】
コアネットワークトンネル情報は、ＳＭＦノード又はＵＰＦノードによって端末デバイスのセッションへ割り当てられたＮ３インターフェイストンネル識別子情報を含んでよい。任意に、Ｎ３インターフェイスがＧＰＲＳトンネリングプロトコル−ユーザプレーン（GPRS  Tunneling  Protocol-User  Plane，ＧＴＰ−Ｕ）プロトコルを使用するとき、コアネットワークトンネル情報は、ＳＭＦノード又はＵＰＦノードによって端末デバイスのセッションへ割り当てられたＮ３インターフェイスＧＴＰ−Ｕトンネリングプロトコル識別子情報である。
【０１２０】
（Ｒ）ＡＮトンネル情報は、ＡＮノードによって端末デバイスのセッションへ割り当てられたＮ３インターフェイストンネル識別子情報を含んでよい。任意に、Ｎ３インターフェイスがＧＴＰ−Ｕプロトコルを使用するとき、（Ｒ）ＡＮトンネル情報は、ＡＮノードによって端末デバイスのセッションへ割り当てられたＮ３インターフェイスＧＴＰ−Ｕトンネリングプロトコル識別子情報である。
【０１２１】
任意に、上記の方法は、アクティブにされるべきセッション及びアクティブセッションが異なるセッションを有しているときに、ＡＭＦノードが、アクティブにされるべきセッションに対応するＳＭＦノードへ３ｂ要求メッセージを送り、アクティブセッションに対応するＳＭＦノードへ３ｃ要求メッセージを送ることを更に含む。
【０１２２】
３ｂ要求メッセージは、アクティブにされるべきセッションにあるがアクティブセッションにないセッションをアクティブにすることを要求するために使用されてよい。すなわち、３ｂ要求メッセージは、アクティブにされるべきセッションとアクティブセッションとの間の共通集合又は重複範囲を除いて、アクティブにされるべきセッションの中のセッションをアクティブにすることを要求するために使用される。例えば、共通集合又は重複範囲がアクティブにされるべきセッションとアクティブセッションとの間に存在しない場合には、３ｂ要求メッセージは、アクティブにされるべきセッションをアクティブにすることを要求するために使用され得る。具体的に、３ｂ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでもよい。アクティブ化指示情報は、アップデートセッション管理コンテキスト要求メッセージがセッションをアクティブにすることを要求するために使用されることを示すために使用される。
【０１２３】
具体的に、３ｂ要求メッセージは、アクティブにされるべきセッションにあるがアクティブセッションにないセッションの識別情報を運んでよい。識別情報は、セッションの識別子又はビット列であってよい。例えば、ビット列に含まれる各ビットは、１つのセッションに対応してよく、ビット“１”は、そのビットに対応するセッションがアクティブにされるよう要求されているセッションであることを示し得る。上記の関連する記載を参照されたい。詳細は再びは記載されない。
【０１２４】
３ｃ要求メッセージは、アクティブセッションにあるがアクティブにされるべきセッションにないセッションを非アクティブにすることを要求するために使用される。すなわち、３ｃ要求メッセージは、アクティブにされるべきセッションとアクティブセッションとの間の共通集合又は重複範囲を除いて、アクティブセッションの中のセッションを非アクティブにすることを要求するために使用される。例えば、共通集合又は重複範囲がアクティブにされるべきセッションとアクティブセッションとの間に存在しない場合には、３ｃ要求メッセージは、アクティブセッションを非アクティブにすることを要求するために使用され得る。具体的に、３ｃ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、非アクティブ化指示情報を運んでもよい。非アクティブ化指示情報は、アップデートセッション管理コンテキスト要求メッセージがセッションを非アクティブにすることを要求するために使用されることを示すために使用される。
【０１２５】
具体的に、３ｃ要求メッセージは、アクティブセッションにあるがアクティブにされるべきセッションにないセッションの識別情報を運んでよい。識別情報は、セッションの識別子又はビット列であってよい。例えば、ビット列に含まれる各ビットは、１つのセッションに対応してよく、ビット“１”は、そのビットに対応するセッションが非アクティブにされるよう要求されているセッションであることを示し得る。上記の関連する記載を参照されたい。詳細は再びは記載されない。
【０１２６】
アクティブ化指示情報及び非アクティブ化指示情報は、同じ指示ビットに対してセットされた異なる値であってよいことが留意されるべきである。これは制限されない。
【０１２７】
１つ以上の３ｂ要求メッセージが存在してよく、３ｂ要求メッセージの数は、具体的に、アクティブにされるよう要求されているセッションに対応するＳＭＦノードの数と同じであってよく、同様に、１つ以上の３ｃ要求メッセージも存在してよく、３ｃ要求メッセージの数は、具体的に、非アクティブにされるよう要求されているセッションに対応するＳＭＦノードの数と同じであってよいことが留意されるべきである。
【０１２８】
例えば、アクティブにされるべきセッションは、セッション１、２、３、及び４を含み、アクティブセッションは、セッション２、４、５、及び６を含み、セッション１、２、及び３は、ＳＭＦノード１に対応し、セッション４及び５は、ＳＭＦノード２に対応し、セッション６は、ＳＭＦノード３に対応すると仮定される。この場合に、３ｂ要求メッセージは、セッション１及び３をアクティブにすることを要求するために使用され、３ｂ要求メッセージは、ただ１つのメッセージしか含まず、ＳＭＦノード１へ送られてよい。３ｃ要求メッセージは、２つのメッセージを含んでよい。ＳＭＦノード２へ送られる３ｃ要求メッセージ１は、セッション５を非アクティブにすることを要求するために使用され、ＳＭＦノード２へ送られる３ｃ要求メッセージ２は、セッション６を非アクティブにすることを要求するために使用される。
【０１２９】
上記の実施形態に基づいて、本願は更に、代替の方法を提供する。３ａ要求メッセージは、削除指示情報を運ぶ。削除指示情報は、３ａ要求メッセージを使用することによってアクティブにされるよう要求されているセッションの（Ｒ）ＡＮトンネル情報を削除することを指示するために使用される。ステップ３０６は、次により置換されてもよい。ＳＭＦノードは、削除指示情報に従って、３ａ要求メッセージを使用することによってアクティブにされるよう要求されているセッションの（Ｒ）ＡＮトンネル情報を削除し、セッションのコアネットワークトンネル情報を運ぶ応答メッセージをＡＭＦノードへ送る。
【０１３０】
コアネットワークトンネル情報については、上記の関連する記載を参照されたい。詳細は再びは記載されない。
【０１３１】
上記の実施形態に基づいて、本願は更に、他の代替の方法を提供する。３ａ要求メッセージは、最初にセッションを非アクティブにし、次いでセッションを再びアクティブにすることを要求するために使用される。ステップ３０６は、次により置換されてもよい。ＳＭＦノードは、３ａ要求メッセージに基づいてセッションの（Ｒ）ＡＮトンネル情報を削除し、セッションのコアネットワークトンネル情報を運ぶ応答メッセージをＡＭＦノードへ送る。
【０１３２】
ステップ３０１及び３０２において、ＡＭＦノードは、登録要求メッセージ又はサービス要求メッセージ（アクティブにされるべきセッションの識別情報を運ぶ）を受信するときに、セッションアクティブ化プロシージャを直ちには開始せず（すなわち、セッションアクティブ化プロシージャの開始を遅延させ）、代わりに、ＡＭＦノードは、ＡＭＦノードと第１ＡＮノードとの間に端末デバイスのシグナリング接続が存在するかどうかを決定し、そして、シグナリング接続が存在する場合には、端末デバイスのコンテキストを解放するよう第１ＡＮノードに指示してよく、あるいは、シグナリング接続が存在しない場合には、セッションアクティブ化プロシージャを開始してよいことが留意されるべきである。
【０１３３】
上記の実施形態で提供される方法において、第２ＡＮノードを使用することによって端末デバイスからアクティブにされるべきセッションの識別情報を受信した後、ＡＭＦノードは、セッションをアクティブにすることを要求するために使用されるメッセージをＳＭＦノードへ直ちには送信しない。代わりに、ＡＭＦノードは、ＡＭＦノードと第１ＡＮノードとの間に端末デバイスのシグナリング接続が存在するときにシグナリング接続を解放する。例えば、ＡＭＦノードは、コンテキスト解放コマンドを第１ＡＮノードへ送り、端末デバイスのアクティブにされたセッションの識別情報を受信する。アクティブなセッション及びアクティブにされるべきセッションが同じセッションを有しているときに、ＡＭＦノードは最初に、同じセッションを非アクティブにすることを要求し、次いで、同じセッションをアクティブにすることを要求するか、あるいは、ＡＭＦノードは、同じセッションをアクティブにすることを要求する。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【０１３４】
図４に示されるように、本願の第３実施形態は、通信方法を提供する。方法は、端末デバイスが第１ＡＮノードから第２ＡＮノードへ移動するシナリオに適用される。端末は、非アクティブ状態にあってよい。方法は、具体的に、次のとおりである。
【０１３５】
４０１．ＡＭＦノードは、第２ＡＮノードを使用することによって端末デバイスからアクティブにされるべきセッションの識別情報を受信する。
【０１３６】
アクティブにされるべきセッションの識別情報は、登録要求メッセージ又はサービス要求メッセージにおいて運ばれてよい。登録要求メッセージ又はサービス要求メッセージは、１つ以上のアクティブにされるべきセッションの識別情報を運んでよい。これは制限されない。
【０１３７】
具体的に、端末デバイスは、第１ＡＮノードのサービス範囲内でＲＲＣ−非アクティブ状態にある場合がある。端末デバイスが第２ＡＮノードへ移動した後、端末デバイスは、ＲＲＣ接続再開プロシージャを開始する。端末デバイスはＣＭ−遊休状態へ切り替わり、登録要求プロシージャ又はサービス要求プロシージャを開始する。具体的に言えば、端末デバイスは、第２ＡＮノードへ登録要求メッセージ又はサービス要求メッセージを送る。登録要求メッセージ又はサービス要求メッセージは、アクティブにされるべきセッションの識別情報を運んでよい。
【０１３８】
４０２．ＡＭＦノードは、アクティブにされるべきセッションの識別情報に基づいてＳＭＦノードへ４ａ要求メッセージを送る。
【０１３９】
４ａ要求メッセージは、アクティブにされるべきセッションをアクティブにすることを要求するために使用され、アクティブにされるべきセッションの識別情報を運んでよい。識別情報は、アクティブにされるべきセッションを識別するために使用される。図２に示される実施形態における関連する記載を参照されたい。詳細は再びは記載されない。具体的に、４ａ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでもよい。アクティブ化指示情報は、アップデートセッション管理コンテキスト要求メッセージがセッションをアクティブにすることを要求するために使用されることを示すために使用される。
【０１４０】
ＳＭＦノードは、アクティブにされるべきセッションに対応するＳＭＦノードであってよい。加えて、１つ以上の４ａ要求メッセージが存在してもよい。具体的に、４ａ要求メッセージの数は、アクティブにされるべきセッションに対応するＳＭＦノードの数と同じであってよい。これは制限されない。例えば、アクティブにされるべきセッションは、セッション１、２、３、及び４を含み、セッション１及び２は、ＳＭＦノード１に対応し、セッション３及び４は、ＳＭＦノード２に対応する。４ａ要求メッセージは、２つのメッセージを含んでよい。一方のメッセージはＳＭＦノード１へ送られ、メッセージは、セッション１及び２の識別情報を運び、他方のメッセージは、ＳＭＦノード２へ送られ、メッセージは、セッション３及び４の識別情報を運ぶ。
【０１４１】
４０３．ＳＭＦノードは、４ａ要求メッセージを受信する。
【０１４２】
４０４．４ａ要求メッセージを使用することによってアクティブにされるよう要求されているセッションがアクティブ状態にあるときに、ＳＭＦノードは、セッションの（Ｒ）ＡＮトンネル情報（(R)AN  tunnel  info）を削除する。
【０１４３】
ステップ４０４については、ステップ３０６の関連する記載を参照されたい。これは制限されない。
【０１４４】
任意に、ステップ４０４の後、方法は、ＳＭＦノードがセッションのコアネットワークトンネル情報をＡＭＦノードへ送ることを更に含む。コアネットワークトンネル情報は、４ａ要求メッセージに対応する応答メッセージにおいて運ばれてよい。
【０１４５】
具体的に、４ａ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでもよい。アクティブ化指示情報は、アップデートセッション管理コンテキスト要求メッセージがセッションをアクティブにすることを要求するために使用されることを示すために使用される。３ａ要求メッセージに対応する応答メッセージは、Ｎｓｍｆ＿ＰＤＵＳｅｓｓｉｏｎ＿ｕｐｄａｔｅＳＭＣｏｎｔｅｘｔ  Ｒｅｓｐｏｎｓｅであってよい。
【０１４６】
４０５．ＡＭＦノードは、ＡＭＦノードと第１ＡＮノードとの間に端末デバイスのシグナリング接続が存在するときに、コンテキスト解放コマンドを第１ＡＮノードへ送る。
【０１４７】
コンテキスト解放コマンドは、端末デバイスのコンテキストを解放することを指示するために使用される。
【０１４８】
４０６．ＡＭＦノードは、コンテキスト解放完了メッセージを第１ＡＮノードから受信する。
【０１４９】
コンテキスト解放完了メッセージは、端末デバイスのアクティブセッションの識別情報を運ぶ。アクティブセッションは、第１ＡＮノードでの端末デバイスのアクティブなセッションであってよい。これは制限されない。
【０１５０】
４０７．アクティブにされるべきセッション及びアクティブセッションが同じセッションを有しているとき、ＡＭＦノードは、同じセッションに対応するＳＭＦノードへ４ｂ要求メッセージを送ることをスキップする。
【０１５１】
４ｂ要求メッセージは、同じセッションを非アクティブにすることを要求するために使用される。４ｂ要求メッセージについては、２ａ要求メッセージの関連する記載を参照されたい。詳細は再びは記載されない。
【０１５２】
ステップ４０３及び４０４を実行する順序並びにステップ４０５乃至４０７を実行する順序は交換されてよく、あるいは、ステップ４０３及び４０４並びにステップ４０５乃至４０７は、同時に実行されてもよいことが留意されるべきである。これは制限されない。
【０１５３】
任意に、方法は、アクティブにされるべきセッション及びアクティブセッションが異なるセッションを有しているときに、ＡＭＦノードが、アクティブセッションにあるがアクティブにされるべきセッションにないセッションを非アクティブにすることを要求するために使用される要求メッセージを、アクティブセッションに対応するＳＭＦノードへ送ることを更に含む。詳細については、３ｃ要求メッセージの関連する記載を参照されたい。詳細は再びは記載されない。
【０１５４】
上記の実施形態で提供される方法において、第２ＡＮノードを使用することによって端末デバイスからアクティブにされるべきセッションの識別情報を受信した後、ＡＭＦノードは、セッションをアクティブにするようＳＭＦノードに直ちに要求する。ＡＭＦノードは、ＡＭＦノードと第１ＡＮノードとの間に端末デバイスのシグナリング接続が存在するときにシグナリング接続を解放する。例えば、ＡＭＦノードは、コンテキスト解放コマンドを第１ＡＮノードへ送り、端末デバイスのアクティブセッションの識別情報を受信する。アクティブセッション及びアクティブにされるべきセッションが同じセッションを有しているときに、ＡＭＦノードは、同じセッションを非アクティブにするようもはや要求しない。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【０１５５】
図５に示されるように、本願の第４実施形態は、通信方法を提供する。方法は、端末デバイスが第１ＡＮノードから第２ＡＮノードへ移動するシナリオに適用される。第１ＡＮノードは、第１ＡＭＦノードによって管理され、第２ＡＮノードは、第２ＡＭＦノードによって管理される。方法は、具体的に、次のとおりである。
【０１５６】
５０１．第２ＡＭＦノードは、第２ＡＮノードを使用することによって端末デバイスからアクティブにされるべきセッションの識別情報を受信する。
【０１５７】
アクティブにされるべきセッションの識別情報は、登録要求メッセージ又はサービス要求メッセージにおいて運ばれてよい。登録要求メッセージ又はサービス要求メッセージは、１つ以上のアクティブにされるべきセッションの識別情報を運んでよい。これは制限されない。
【０１５８】
具体的に、端末デバイスは、第１ＡＮノードのサービス範囲内でＲＲＣ−非アクティブ状態にある場合がある。端末デバイスが第２ＡＮノードへ移動した後、端末デバイスは、ＲＲＣ接続再開プロシージャを開始する。端末デバイスはＣＭ−遊休状態へ切り替わり、登録要求プロシージャ又はサービス要求プロシージャを開始する。具体的に言えば、端末デバイスは、第２ＡＮノードへ登録要求メッセージ又はサービス要求メッセージを送る。登録要求メッセージ又はサービス要求メッセージは、アクティブにされるべきセッションの識別情報を運んでよい。
【０１５９】
５０２．第２ＡＭＦノードは、５ａ要求メッセージを第１ＡＭＦノードへ送る。
【０１６０】
５ａ要求メッセージは、端末デバイスのコンテキスト（context）を要求するために使用されてよく、５ａ要求メッセージは、コンテキスト転送要求（context  transfer  request）、例えば、Ｎａｍｆ＿Ｃｏｍｍｕｎｃｉａｔｉｏｎ＿ＵＥＣｏｎｔｅｘｔＴｒａｎｓｆｅｒ  Ｒｅｑｕｅｓｔであってよい。具体的に、５ａ要求メッセージは、端末デバイスの識別情報、例えば、５Ｇ−グローバル固有一時識別（globally  unique  temporary  identity，ＧＵＴＩ）（５Ｇ−ＧＵＴＩ）を運んでよい。
【０１６１】
コンテキストは、モビリティ管理（mobility  management，ＭＭ）コンテキストであってよい。
【０１６２】
具体的に、ステップ５０１における登録要求メッセージ又はサービス要求メッセージは、５Ｇ−ＧＵＴＩを運んでよく、第２ＡＭＦノードは、５Ｇ−ＧＵＴＩに基づいて第１ＡＭＦノードのアドレスを取得し、５ａ要求メッセージを第１ＡＭＦノードへ送ってよい。
【０１６３】
５０３．第１ＡＭＦノードは、第２ＡＭＦノードから５ａ要求メッセージを受信する。
【０１６４】
５０４．第１ＡＭＦノードは、第１ＡＭＦノードと第１ＡＮノードとの間に端末デバイスのシグナリング接続が存在するときに、コンテキスト解放コマンドを第１ＡＮノードへ送る。
【０１６５】
コンテキスト解放コマンドは、端末デバイスのコンテキストを解放することを指示するために使用される。
【０１６６】
５０５．第１ＡＮノードは、コンテキスト解放コマンドを受信し、端末デバイスのコンテキストを削除する。
【０１６７】
例えば、端末デバイスのコンテキストを削除する前に、第１ＡＮノードは、第１ＡＮノードと端末デバイスとの間に（Ｒ）ＡＮ接続が存在するかどうかを決定してよい。（Ｒ）ＡＮ接続が存在する場合には、第１ＡＮノードは、（Ｒ）ＡＮ接続を解放する。例えば、第１ＡＮノードは、ＲＲＣ接続解放メッセージを端末デバイスへ送る。
【０１６８】
（Ｒ）ＡＮ接続は、ＲＲＣ接続又はＮＷｕ接続を含んでよく、ＮＷｕは、端末デバイスと非３ＧＰＰ網間接続機能（Non-3GPP  InterWorking  Function，Ｎ３ＩＷＦ）との間の論理インターフェイスである。
【０１６９】
５０６．第１ＡＮノードは、コンテキスト解放完了メッセージを第１ＡＭＦノードへ送る。
【０１７０】
コンテキスト解放完了メッセージは、端末デバイスのアクティブセッションの識別情報を運ぶ。アクティブセッションは、第１ＡＮノードでの端末デバイスのアクティブなセッションであってよい。これは制限されない。
【０１７１】
５０７．第１ＡＭＦノードは、コンテキスト解放完了メッセージを受信し、アクティブセッションに対応するＳＭＦノードへ５ｂ要求メッセージを送る。
【０１７２】
５ｂ要求メッセージは、アクティブセッションを非アクティブにすることを要求するために使用され、アクティブセッションの識別情報を運んでよい。識別情報は、アクティブセッションを識別するために使用される。図２に示される実施形態における関連する記載を参照されたい。具体的に、５ｂ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、非アクティブ化指示情報を運んでよい。非アクティブ化指示情報は、アップデートセッション管理コンテキスト要求メッセージがセッションを非アクティブにすることを要求するために使用されることを示すために使用される。
【０１７３】
１つ以上の５ｂ要求メッセージが存在してよい。具体的に、５ｂ要求メッセージの数は、アクティブセッションに対応するＳＭＦノードの数と同じであってよい。これは制限されない。例えば、アクティブセッションは、セッション１、２、３、及び４を含み、セッション１及び２は、ＳＭＦノード１に対応し、セッション３及び４は、ＳＭＦノード２に対応する。５ｂ要求メッセージは、２つのメッセージを含んでよい。一方のメッセージはＳＭＦノード１へ送られ、メッセージは、セッション１及び２の識別情報を運び、他方のメッセージは、ＳＭＦノード２へ送られ、メッセージは、セッション３及び４の識別情報を運ぶ。
【０１７４】
５０８．第１ＡＭＦノードは、アクティブセッションが非アクティブにされた後に５ａ応答メッセージを第２ＡＭＦノードへ送る。
【０１７５】
５ａ応答メッセージは、５ａ要求メッセージに応答するために使用されてよく、５ａ応答メッセージは、端末デバイスのＭＭコンテキストを運ぶ。例えば、Ｎａｍｆ＿Ｃｏｍｍｕｎｉｃａｔｉｏｎ＿ＵＥＣｏｎｔｅｘｔＴｒａｎｓｆｅｒ  Ｒｅｓｐｏｎｓｅが、端末デバイスのＭＭコンテキストを運ぶ。
【０１７６】
具体的に、ＳＭＦノードから５ｂ要求メッセージに対応する応答メッセージを受信した後、第１ＡＭＦノードは、５ａ応答メッセージを第２ＡＭＦノードへ送る。例えば、５ｂ要求メッセージは、Ｎｓｍｆ＿ＰＤＵＳｅｓｓｉｏｎ＿ｕｐｄａｔｅＳＭＣｏｎｔｅｘｔ  Ｒｅｑｕｅｓｔであると仮定される。この場合に、第１ＡＭＦノードが５ｂ要求メッセージに対応する応答メッセージＮｓｍｆ＿ＰＤＵＳｅｓｓｉｏｎ＿ｕｐｄａｔｅＳＭＣｏｎｔｅｘｔ  Ｒｅｓｐｏｎｓｅを受信するとき、それは、同じセッションが非アクティブにされていることを示し得る。
【０１７７】
５０９．第２ＡＭＦノードは、５ａ応答メッセージを受信し、アクティブにされるべきセッションに対応するＳＭＦノードへ５ｃ要求メッセージを送る。
【０１７８】
５ｃ要求メッセージは、アクティブにされるべきセッションをアクティブにすることを要求するために使用され、アクティブにされるべきセッションの識別情報を運んでよい。詳細については、４ａ要求メッセージの関連する記載を参照されたい。詳細は再びは記載されない。
【０１７９】
本実施形態におけるステップ及び名詞については、上記の実施形態における関連する記載が参照されてよいことが留意されるべきである。詳細は再びは記載されない。
【０１８０】
上記の実施形態で提供される方法によれば、方法において、第１ＡＭＦノードは、第２ＡＭＦノードから、端末デバイスのコンテキストを要求するために使用されるメッセージを受信する。第１ＡＭＦノードは、第１ＡＭＦノードと第１ＡＮノードとの間に端末デバイスのシグナリング接続が存在するときにシグナリング接続を解放する。例えば、コンテキスト解放コマンドを第１ＡＮノードへ送り、端末デバイスのアクティブセッションの識別情報を受信した後、第１ＡＭＦノードは、アクティブセッションを非アクティブにするようＳＭＦノードに要求し、非アクティブ化が成功した後に第２ＡＭＦノードへ端末デバイスのコンテキストを送る。それにより、対応するセッションは、第２ＡＭＦノードが端末デバイスのコンテキストを受信し、それからセッションをアクティブにすることを要求するときに、非アクティブにされることに成功している。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【０１８１】
図６に示されるように、本願の第５実施形態は、通信方法を提供する。方法は、端末デバイスが第１ＡＮノードから第２ＡＮノードへ移動するシナリオに適用される。第１ＡＮノードは、第１ＡＭＦノードによって管理され、第２ＡＮノードは、第２ＡＭＦノードによって管理される。方法は、具体的に、次のとおりである。
【０１８２】
６０１．第２ＡＭＦノードは、第２ＡＮノードを使用することによって端末デバイスからアクティブにされるべきセッションの識別情報を受信する。
【０１８３】
アクティブにされるべきセッションの識別情報は、登録要求メッセージ又はサービス要求メッセージにおいて運ばれてよい。
【０１８４】
具体的に、端末デバイスは、第１ＡＮノードのサービス範囲内でＲＲＣ−非アクティブ状態にある場合がある。端末デバイスが第２ＡＮノードへ移動した後、端末デバイスは、ＲＲＣ接続再開プロシージャを開始する。端末デバイスはＣＭ−遊休状態へ切り替わり、登録要求プロシージャ又はサービス要求プロシージャを開始する。具体的に言えば、端末デバイスは、第２ＡＮノードへ登録要求メッセージ又はサービス要求メッセージを送る。登録要求メッセージ又はサービス要求メッセージは、アクティブにされるべきセッションの識別情報を運んでよい。
【０１８５】
６０２．第２ＡＭＦノードは、６ａ要求メッセージを第１ＡＭＦノードへ送る。
【０１８６】
６ａ要求メッセージは、端末デバイスのモビリティ管理コンテキストを要求するために使用される。６ａ要求メッセージは、端末デバイスのアクティブにされるべきセッションの識別情報を運んでよく、更には、端末デバイスの識別情報を運んでもよい。上記の関連する記載を参照されたい。
【０１８７】
アクティブにされるべきセッションは、第１ＡＭＦノードによって、端末デバイスのアクティブセッションにあるがアクティブにされるべきセッションにないセッションを非アクティブにするために使用されてよい。
【０１８８】
６０３．第１ＡＭＦノードは、第２ＡＭＦノードから６ａ要求メッセージを受信する。
【０１８９】
６０４．第１ＡＭＦノードは、第１ＡＭＦノードと第１ＡＮノードとの間に端末デバイスのシグナリング接続が存在するときに、コンテキスト解放コマンドを第１ＡＮノードへ送る。
【０１９０】
コンテキスト解放コマンドは、端末デバイスのコンテキストを解放することを指示するために使用され、端末デバイスの識別情報を運んでよい。上記の関連する記載を参照されたい。
【０１９１】
６０５．第１ＡＭＦノードは、第１ＡＮノードからコンテキスト解放完了メッセージを受信する。
【０１９２】
コンテキスト解放完了メッセージは、端末デバイスのアクティブセッションの識別情報を運ぶ。アクティブセッションは、第１ＡＮノードでの端末デバイスのアクティブなセッションであってよい。これは制限されない。
【０１９３】
６０６．第１ＡＭＦノードは、６ａ応答メッセージを第２ＡＭＦノードへ送る。
【０１９４】
６ａ応答メッセージは、６ａ要求メッセージに応答するために使用されてよく、具体的に、端末デバイスのモビリティ管理コンテキストを運んでよい。
【０１９５】
例において、アクティブにされるべきセッション及びアクティブセッションが同じセッションを有しているときに、６ａ応答メッセージは更に、同じセッションの識別情報を運んでよい。代替的に、アクティブにされるべきセッション及びアクティブセッションが同じセッションを有さないとき、６ａ応答メッセージは更に、同じセッションが存在しないことを示す指示情報を運んでよい。指示情報は、アクティブにされるべきセッション及びアクティブセッションが同じセッションを有さないことを示すために使用される。
【０１９６】
他の例において、６ａ応答メッセージは更に、アクティブセッションの識別情報を運んでもよい。
【０１９７】
６０７．第２ＡＭＦノードは、第１ＡＭＦノードから６ａ応答メッセージを受信する。
【０１９８】
ステップ６０８及び６０９は、任意のステップである。例えば、６ａ応答メッセージが端末デバイスのアクティブセッションの識別情報を更に運ぶときに、ステップ６０８は実行される。６ａ応答メッセージが同じセッションの識別情報を更に運ぶときに、ステップ６０９は実行される。６ａ応答メッセージが、同じセッションが存在しないことを示す指示情報を更に運ぶときに、ステップ６０８及び６０９は実行されなくてもよい。すなわち、その後の全てのステップはもはや実行されない。代わりに、第２ＡＭＦノードは、アクティブにされるべきセッションに対応するＳＭＦノードへ、アクティブにされるべきセッションをアクティブにすることを要求するために使用される要求メッセージを送る。要求メッセージは、アップデートセッション管理コンテキスト要求メッセージであってよい。詳細については、図５に示される実施形態における関連する記載を参照されたい。詳細は再びは記載されない。
【０１９９】
６０８．アクティブにされるべきセッション及びアクティブセッションが同じセッションを有しているときに、第２ＡＭＦノードは、同じセッションに対応するＳＭＦノードへ６ｂ要求メッセージを送る。
【０２００】
６ｂ要求メッセージは、次のように記載される以下の３つの場合を有し得る。
【０２０１】
場合１：６ｂ要求メッセージは、同じセッションをアクティブにすることを要求するために使用される。具体的に、６ｂ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでよい。アクティブ化指示情報は、アップデートセッション管理コンテキスト要求メッセージがセッションをアクティブにすることを要求するために使用されることを示すために使用される。
【０２０２】
場合２：６ｂ要求メッセージは、同じセッションをアクティブにすることを要求するために使用され、６ｂ要求メッセージは、削除指示情報を運ぶ。削除指示情報は、同じセッションの（Ｒ）ＡＮトンネル情報を削除することを指示するために使用される。具体的に、６ｂ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでよい。アクティブ化指示情報は、アップデートセッション管理コンテキスト要求メッセージがセッションをアクティブにすることを要求するために使用されることを示すために使用される。削除指示情報は、６ｂ要求メッセージを使用することによってアクティブにされるよう要求されている全て又はいくつかのセッションを対象としてよい。これは制限されない。
【０２０３】
場合３：６ｂ要求メッセージは、最初に同じセッションを非アクティブにし、次いで同じセッションを再びアクティブにすることを要求するために使用される。具体的に、６ｂ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化／非アクティブ化指示情報を運んでよい。アクティブ化／非アクティブ化指示情報は、アップデートセッション管理コンテキスト要求メッセージがセッションを非アクティブにし、それからセッションを再びアクティブにすることを要求するために使用されることを示すために使用される。
【０２０４】
６０９．第２ＡＭＦノードは、同じセッションに対応するＳＭＦノードへ６ｂ要求メッセージを送る。
【０２０５】
６ｂ要求メッセージは、上記の３つの場合を有してよい。詳細はここで再び記載されない。
【０２０６】
ステップ６１０及び６１１は、任意のステップである。例えば、場合１に、ステップ６１０及び６１２は実行される。場合２又は場合３に、ステップ６１１及び６１２は実行される。
【０２０７】
６１０．ＳＭＦノードは、６ｂ要求メッセージを受信し、６ｂ要求メッセージを使用することによってアクティブにされるよう要求されているセッションがアクティブ状態にあるときに、ＳＭＦノードは、セッションの（Ｒ）ＡＮトンネル情報を削除する。
【０２０８】
ステップ６１０については、ステップ３０６の関連する記載を参照されたい。詳細は再びは記載されない。
【０２０９】
６１１．ＳＭＦノードは、６ｂ要求メッセージを受信し、６ｂ要求メッセージに基づいてセッションの（Ｒ）ＡＮトンネル情報を削除する。
【０２１０】
具体的に、場合２に、６ｂ要求メッセージに基づいてセッションの（Ｒ）ＡＮトンネル情報を削除することは、削除指示情報に従ってセッションの（Ｒ）ＡＮトンネル情報を削除することであってよい。その上、削除指示情報が６ｂ要求メッセージのいくつかのセッションを対象とするとき、ステップ６１１は、具体的に、それらのセッションの（Ｒ）ＡＮトンネル情報を削除することである。
【０２１１】
具体的に、場合３に、ステップ６１１は、６ｂ要求メッセージを使用することによってアクティブにされるよう要求されている全てのセッションの（Ｒ）ＡＮトンネル情報を削除することであってよい。
【０２１２】
６１２．ＳＭＦノードは、６ｂ応答メッセージを第２ＡＭＦノードへ送る。
【０２１３】
６ｂ応答メッセージは、６ｂ要求メッセージに応答するために使用されてよく、セッションのコアネットワークトンネル情報を運んでよい。
【０２１４】
具体的に、６ｂ応答メッセージは、Ｎｓｍｆ＿ＰＤＵＳｅｓｓｉｏｎ＿ｕｐｄａｔｅＳＭＣｏｎｔｅｘｔ  Ｒｅｓｐｏｎｓｅであってよい。
【０２１５】
任意に、上記の方法は、次を更に含む。
【０２１６】
アクティブにされるべきセッション及びアクティブセッションが異なるセッションを有しているときに、第１ＡＭＦノードは、アクティブセッションにあるがアクティブにされるべきセッションにないセッションに対応するＳＭＦノードへ６ｃ要求メッセージを送る。６ｃ要求メッセージは、アクティブセッションにあるがアクティブにされるべきセッションにないセッションを非アクティブにすることを要求するために使用される。詳細については、３ｃ要求メッセージの関連する記載を参照されたい。詳細は再びは記載されない。
【０２１７】
本実施形態におけるステップ及び名詞については、上記の実施形態における関連する記載が参照されてよいことが留意されるべきである。詳細は再びは記載されない。
【０２１８】
上記の実施形態で提供される方法によれば、第２ＡＭＦノードは、アクティブにされるべきセッションの識別情報を第１ＡＭＦノードへ供給し、第１ＡＭＦノードは、アクティブにされるべきセッションを非アクティブにするようＳＭＦノードに要求しない。このように、セッションをアクティブにすることが要求された直後にセッションを非アクティブにすることが要求されるために引き起こされた先行技術のアクティブ化失敗問題は解消され、それによって、セッションアクティブ化の成功率は改善される。加えて、方法において、第２ＡＭＦノードは、同じセッションの（Ｒ）ＡＮトンネル情報を削除するようＳＭＦノードに要求する。このように、ＵＰＦノードが情報に基づいて第１ＡＮノードへ端末デバイスのデータを送るために引き起こされたデータ伝送失敗は、回避される。
【０２１９】
図７に示されるように、本願の第６実施形態は、通信方法を提供する。方法は、端末デバイスが第１ＡＮノードから第２ＡＮノードへ移動するシナリオに適用される。第１ＡＮノードは、第１ＡＭＦノードによって管理され、第２ＡＮノードは、第２ＡＭＦノードによって管理される。方法は、具体的に、次のとおりである。
【０２２０】
７０１．第２ＡＭＦノードは、第２ＡＮノードを使用することによって端末デバイスからアクティブにされるべきセッションの識別情報を受信する。
【０２２１】
アクティブにされるべきセッションの識別情報は、登録要求メッセージ又はサービス要求メッセージにおいて運ばれてよい。具体的に、端末デバイスは、第１ＡＮノードのサービス範囲内でＲＲＣ−非アクティブ状態にある場合がある。端末デバイスが第２ＡＮノードへ移動した後、端末デバイスは、ＲＲＣ接続再開プロシージャを開始する。端末デバイスはＣＭ−遊休状態へ切り替わり、登録要求プロシージャ又はサービス要求プロシージャを開始する。具体的に言えば、端末デバイスは、第２ＡＮノードへ登録要求メッセージ又はサービス要求メッセージを送る。登録要求メッセージ又はサービス要求メッセージは、アクティブにされるべきセッションの識別情報を運んでよい。
【０２２２】
７０２．第２ＡＭＦノードは、７ａ要求メッセージを第１ＡＭＦノードへ送る。
【０２２３】
７ａ要求メッセージは、端末デバイスのコンテキスト、例えば、ＭＭコンテキストを要求するために使用される。７ａ要求メッセージは、端末デバイスのアクティブにされるべきセッションの識別情報を運んでよく、更には、端末デバイスの識別情報を運んでもよい。上記の関連する記載を参照されたい。
【０２２４】
７ａ要求メッセージは、コンテキスト転送要求（context  transfer  request）、例えば、Ｎａｍｆ＿Ｃｏｍｍｕｎｉｃａｔｉｏｎ＿ＵＥＣｏｎｔｅｘｔＴｒａｎｓｆｅｒ  Ｒｅｑｕｅｓｔであってよい。
【０２２５】
７０３．第１ＡＭＦノードは、７ａ要求メッセージを受信する。
【０２２６】
７０４．第１ＡＭＦノードは、７ａ応答メッセージを第２ＡＭＦノードへ送る。
【０２２７】
７ａ応答メッセージは、７ａ要求メッセージに応答するために使用されてよく、具体的に、端末デバイスのＭＭコンテキストを運んでよい。例えば、Ｎａｍｆ＿Ｃｏｍｍｕｎｉｃａｔｉｏｎ＿ＵＥＣｏｎｔｅｘｔＴｒａｎｓｆｅｒ  Ｒｅｓｐｏｎｓｅが端末デバイスのＭＭコンテキストを運ぶ。
【０２２８】
７０５．７ａ応答メッセージを受信した後、第２ＡＭＦノードは、アクティブにされるべきセッションに対応するＳＭＦノードへ７ｂ要求メッセージを送る。
【０２２９】
７ｂ要求メッセージは、アクティブにされるべきセッションをアクティブにすることを要求するために使用される。詳細については、４ａ要求メッセージの関連する記載を参照されたい。詳細は再びは記載されない。
【０２３０】
７０６．ＳＭＦノードは、７ｂ要求メッセージを受信し、７ｂ要求メッセージを使用することによってアクティブにされるよう要求されているセッションがアクティブ状態にあるときに、セッションの（Ｒ）ＡＮトンネル情報を削除する。
【０２３１】
ステップ７０６については、ステップ３０６の関連する記載を参照されたい。これは制限されない。
【０２３２】
任意に、ステップ７０６の後、方法は、ＳＭＦノードがセッションのコアネットワークトンネル情報をＡＭＦノードへ送ることを更に含む。コアネットワークトンネル情報は、７ｂ要求メッセージに対応する応答メッセージにおいて運ばれてよい。
【０２３３】
具体的に、７ｂ要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでよい。アクティブ化指示情報は、アップデートセッション管理コンテキスト要求メッセージがセッションをアクティブにすることを要求するために使用されることを示すために使用される。７ｂ要求メッセージに対応する応答メッセージは、Ｎｓｍｆ＿ＰＤＵＳｅｓｓｉｏｎ＿ｕｐｄａｔｅＳＭＣｏｎｔｅｘｔ  Ｒｅｓｐｏｎｓｅであってよい。
【０２３４】
７０７．第１ＡＭＦノードは、第１ＡＭＦノードと第１ＡＮノードとの間に端末デバイスのシグナリング接続が存在するときに、コンテキスト解放コマンドを第１ＡＮノードへ送る。
【０２３５】
コンテキスト解放コマンドは、端末デバイスのコンテキストを解放することを指示するために使用され、端末デバイスの識別情報を運んでよい。
【０２３６】
７０８．第１ＡＭＦノードは、コンテキスト解放完了メッセージを受信する。
【０２３７】
コンテキスト解放完了メッセージは、端末デバイスのアクティブセッションの識別情報を運ぶ。アクティブセッションは、第１ＡＮノードでの端末デバイスのアクティブなセッションであってよい。これは制限されない。
【０２３８】
７０９．アクティブにされるべきセッション及びアクティブセッションが同じセッションを有しているときに、第１ＡＭＦノードは、同じセッションに対応するＳＭＦノードへ、同じセッションを非アクティブにすることを要求するために使用される要求メッセージを送ることをスキップする。
【０２３９】
ステップ７０５及び７０６を実行する順序並びにステップ７０７及び７０８を実行する順序は交換されてよく、あるいは、ステップ７０５及び７０６並びにステップ７０７及び７０８は、同時に実行されてもよいことが留意されるべきである。これは制限されない。
【０２４０】
本実施形態におけるステップ及び名詞については、上記の実施形態における関連する記載が参照されてよいことが留意されるべきである。詳細は再びは記載されない。
【０２４１】
任意に、上記の方法は、次を更に含む。
【０２４２】
アクティブにされるべきセッション及びアクティブセッションが異なるセッションを有しているときに、第１ＡＭＦノードは、アクティブセッションにあるがアクティブにされるべきセッションにないセッションに対応するＳＭＦノードへ７ｃ要求メッセージを送る。７ｃ要求メッセージは、アクティブセッションにあるがアクティブにされるべきセッションにないセッションを非アクティブにすることを要求するために使用される。詳細については、３ｃ要求メッセージの関連する記載を参照されたい。詳細は再びは記載されない。
【０２４３】
上記の実施形態で提供される方法によれば、第２ＡＭＦノードから第１要求メッセージを受信した後、第１ＡＭＦノードは、第１要求メッセージに対応する応答メッセージにより直ちに応答する。このように、第２ＡＭＦノードは、応答メッセージを受信した後にセッションをアクティブにするよう要求し、そして、アクティブセッションの識別情報を受信した後、第１ＡＭＦノードは、アクティブセッション及びアクティブにされるべきセッションが同じセッションを有しているかどうかを決定する。第１ＡＭＦノードは、同じセッションを非アクティブにするようＳＭＦノードに要求しない。このように、セッションをアクティブにすることが要求された直後にセッションを非アクティブにすることが要求されるために引き起こされた先行技術のアクティブ化失敗問題は解消され、それによって、セッションアクティブ化の成功率は改善される。
【０２４４】
図８に示されるように、本願の第７実施形態は、通信方法を提供する。方法は、具体的に、次のように記載される。
【０２４５】
８０１．ＳＭＦノードは、ＡＭＦノードから要求メッセージを受信する。
【０２４６】
要求メッセージは、セッションをアクティブにすることを要求するために使用され、要求メッセージは、削除指示情報を運ぶ。削除指示情報は、セッションの（Ｒ）ＡＮトンネル情報を削除することを示すために使用される。
【０２４７】
加えて、要求メッセージは、セッションの識別情報を運んでよい。識別情報は、セッションを識別するために使用される。上記の実施形態における関連する記載を参照されたい。詳細は再びは記載されない。
【０２４８】
８０２．ＳＭＦノードは、削除指示情報に従ってセッションの（Ｒ）ＡＮトンネル情報を削除する。
【０２４９】
具体的に、削除指示情報が要求メッセージのいくつかのセッションを対象とするとき、ステップ８０２は、具体的に、それらのセッションの（Ｒ）ＡＮトンネル情報を削除することである。詳細は再びは記載されない。
【０２５０】
８０３．ＳＭＦノードは、ＡＭＦノードへ応答メッセージを送り、このとき、応答メッセージは、セッションのコアネットワークトンネル情報を運ぶ。
【０２５１】
ステップ８０３は、任意のステップである。
【０２５２】
具体的に、要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでよい。アクティブ化指示情報は、アップデートセッション管理コンテキスト要求メッセージがセッションをアクティブにすることを要求するために使用されることを示すために使用される。応答メッセージは、Ｎｓｍｆ＿ＰＤＵＳｅｓｓｉｏｎ＿ｕｐｄａｔｅＳＭＣｏｎｔｅｘｔ  Ｒｅｓｐｏｎｓｅであってよい。
【０２５３】
上記の実施形態で提供される方法によれば、ＳＭＦノードは、ＡＭＦノードから要求メッセージを受信する。要求メッセージは、セッションをアクティブにすることを要求するために使用される。要求メッセージは、削除指示情報を運ぶ。削除指示情報は、セッションの（Ｒ）ＡＮトンネル情報を削除することを指示するために使用される。ＳＭＦノードは、削除指示情報に従ってセッションの（Ｒ）ＡＮトンネル情報を削除する。このように、（Ｒ）ＡＮトンネル情報は削除され、ＵＰＦノードが情報に基づいて第１ＡＮノードへ端末デバイスのデータを送るために引き起こされたデータ伝送失敗は、回避される。
【０２５４】
図９に示されるように、本願の第８実施形態は、通信方法を提供する。方法は、具体的に、次のように記載される。
【０２５５】
９０１．ＳＭＦノードは、ＡＭＦノードから要求メッセージを受信し、このとき、要求メッセージは、最初にセッションを非アクティブにし、次いでセッションを再びアクティブにすることを要求するために使用される。
【０２５６】
要求メッセージは、セッションの識別情報を運んでよい。識別情報は、セッションを識別するために使用される。上記の実施形態における関連する記載を参照されたい。詳細は再びは記載されない。
【０２５７】
９０２．ＳＭＦノードは、要求メッセージに基づいてセッションの（Ｒ）ＡＮトンネル情報を削除する。
【０２５８】
９０３．ＳＭＦノードは、ＡＭＦノードへ応答メッセージを送り、このとき、応答メッセージは、セッションのコアネットワークトンネル情報を運ぶ。
【０２５９】
ステップ９０３は、任意のステップである。
【０２６０】
具体的に、要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化／非アクティブ化指示情報を運んでよい。アクティブ化／非アクティブ化指示情報は、アップデートセッション管理コンテキスト要求メッセージがセッションを非アクティブにし、それからセッションを再びアクティブにすることを要求するために使用されることを示すために使用される。応答メッセージは、Ｎｓｍｆ＿ＰＤＵＳｅｓｓｉｏｎ＿ｕｐｄａｔｅＳＭＣｏｎｔｅｘｔ  Ｒｅｓｐｏｎｓｅであってよい。
【０２６１】
上記の実施形態で提供される方法によれば、ＳＭＦノードは、ＡＭＦノードから要求メッセージを受信する。要求メッセージは、最初にセッションを非アクティブにし、次いでセッションを再びアクティブにすることを要求するために使用される。ＳＭＦノードは、要求メッセージに基づいてセッションの（Ｒ）ＡＮトンネル情報を削除する。このように、（Ｒ）ＡＮトンネル情報は削除され、ＵＰＦノードが情報に基づいて第１ＡＮノードへ端末デバイスのデータを送るために引き起こされたデータ伝送失敗は、回避される。
【０２６２】
図１０に示されるように、本願の第９実施形態は、通信方法を提供する。方法は、具体的に、次のように記載される。
【０２６３】
１００１．ＳＭＦノードは、ＡＭＦノードから要求メッセージを受信し、このとき、要求メッセージは、セッションをアクティブにすることを要求するために使用される。
【０２６４】
要求メッセージは、セッションの識別情報を運んでよい。識別情報は、セッションを識別するために使用される。詳細については、上記の実施形態における関連する記載を参照されたい。詳細は再びは記載されない。
【０２６５】
１００２．ＳＭＦノードは、セッションがアクティブ状態にあるときにセッションの（Ｒ）ＡＮトンネル情報を削除する。
【０２６６】
具体的に、要求メッセージを受信した後、要求メッセージに基づいてセッションをアクティブにした後、ＳＭＦノードは、セッションがアクティブ状態にあるかどうかを決定する。セッションはアクティブ状態にある場合、例えば、ＳＭＦノードが、セッションの状態を保持し、セッションに対応する、ＳＭＦノードに保持されている状態がアクティブ状態である（例えば、ＳＭＦノードによって保持されているセッションのセッションコンテキストが（Ｒ）ＡＮトンネル情報を有している）場合には、ＳＭＦノードは、セッションの（Ｒ）ＡＮトンネル情報を削除する。セッションが非アクティブ状態にある（例えば、ＳＭＦノードによって保持されているセッションのセッションコンテキストが（Ｒ）ＡＮトンネル情報を有していない）場合には、ＳＭＦノードはセッションをアクティブにする。
【０２６７】
任意に、ステップ１００２の後、方法は、次のステップを更に含む。
【０２６８】
１００３．ＳＭＦノードは、ＡＭＦノードへ応答メッセージを送り、このとき、応答メッセージは、セッションのコアネットワークトンネル情報を運ぶ。
【０２６９】
具体的に、要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでよい。アクティブ化／非アクティブ化指示情報は、アップデートセッション管理コンテキスト要求メッセージがセッションをアクティブにすることを要求するために使用されることを示すために使用される。応答メッセージは、Ｎｓｍｆ＿ＰＤＵＳｅｓｓｉｏｎ＿ｕｐｄａｔｅＳＭＣｏｎｔｅｘｔ  Ｒｅｓｐｏｎｓｅであってよい。
【０２７０】
上記の実施形態で提供される方法によれば、ＳＭＦノードは、ＡＭＦノードから要求メッセージを受信する。ＳＭＦノードは、セッションがアクティブ状態にあるときにセッションの（Ｒ）ＡＮトンネル情報を削除する。このように、（Ｒ）ＡＮトンネル情報は削除され、ＵＰＦノードが情報に基づいて第１ＡＮノードへ端末デバイスのデータを送るために引き起こされたデータ伝送失敗は、回避される。
【０２７１】
図１１に示されるように、本願の第１０実施形態は、通信装置１１００を提供する。装置１１００は、端末デバイスが第１ＡＮノードから第２ＡＮノードへ移動するシナリオに適用されてよい。装置１１００は、ＡＭＦノードであっても又はＡＭＦノード内にあってもよい（例えば、チップ若しくはシステム・オン・ア・チップ）。装置１１００は、図２に示される方法実施形態におけるＡＭＦノードの動作を実行するよう構成されてよい。装置１１００は、トランシーバユニット１１０１及び処理ユニット１１０２を含む。
【０２７２】
トランシーバユニット１１０１は、第２ＡＮノードを使用することによって端末デバイスからアクティブにされるべきセッションの識別情報を受信するよう構成される。
【０２７３】
処理ユニット１１０２は、ＡＭＦノードと第１ＡＮノードとの間に端末デバイスのシグナリング接続が存在するときに、第１ＡＮノードへコンテキスト解放コマンドを送るよう構成される。コンテキスト解放コマンドは、端末デバイスのコンテキストを解放することを指示するために使用される。
【０２７４】
トランシーバユニット１１０１は、第１ＡＮノードからコンテキスト解放完了メッセージを受信するよう更に構成される。コンテキスト解放完了メッセージは、端末デバイスのアクティブセッションの識別情報を運ぶ。
【０２７５】
処理ユニット１１０２は、アクティブにされるべきセッション及びアクティブセッションが同じセッションを有しているときに、トランシーバユニット１１０１を使用することによって、同じセッションに対応するＳＭＦノードへ第１要求メッセージを送るよう更に構成される。第１要求メッセージは、同じセッションを非アクティブにすることを要求するために使用される。
【０２７６】
処理ユニット１１０２は、同じセッションが非アクティブにされた後に、トランシーバユニット１１０１を使用することによって、ＳＭＦノードへ第２要求メッセージを送るよう更に構成される。第２要求メッセージは、同じセッションをアクティブにすることを要求するために使用される。
【０２７７】
任意に、アクティブにされるべきセッションの識別情報は、登録要求メッセージ又はサービス要求メッセージにおいて運ばれる。
【０２７８】
図１２に示されるように、本願の第１１実施形態は、通信装置１２００を提供する。装置１２００は、端末デバイスが第１ＡＮノードから第２ＡＮノードへ移動するシナリオに適用されてよい。装置１２００は、ＡＭＦノードであっても又はＡＭＦノード内にあってもよい（例えば、チップ若しくはシステム・オン・ア・チップ）。装置１２００は、図３に示される方法実施形態におけるＡＭＦノードの動作を実行するよう構成されてよい。装置１２００は、トランシーバユニット１２０１及び処理ユニット１２０２を含む。
【０２７９】
トランシーバユニット１２０１は、第２ＡＮノードを使用することによって端末デバイスからアクティブにされるべきセッションの識別情報を受信するよう構成される。
【０２８０】
処理ユニット１２０２は、ＡＭＦノードと第１ＡＮノードとの間に端末デバイスのシグナリング接続が存在するときに、第１ＡＮノードへコンテキスト解放コマンドを送るよう構成される。コンテキスト解放コマンドは、端末デバイスのコンテキストを解放することを指示するために使用される。
【０２８１】
トランシーバユニット１２０１は、第１ＡＮノードからコンテキスト解放完了メッセージを受信するよう更に構成される。コンテキスト解放完了メッセージは、端末デバイスのアクティブセッションの識別情報を運ぶ。
【０２８２】
処理ユニット１２０２は、アクティブにされるべきセッション及びアクティブセッションが同じセッションを有しているときに、トランシーバユニット１２０１を使用することによって、同じセッションに対応するＳＭＦノードへ第１要求メッセージを送るよう更に構成される。第１要求メッセージは、同じセッションをアクティブにすることを要求するために使用されるか、あるいは、第１要求メッセージは、同じセッションを非アクティブにし、それから同じセッションを再びアクティブにすることを要求するために使用される。
【０２８３】
任意に、処理ユニット１２０２は、
アクティブにされるべきセッション及びアクティブセッションが異なるセッションを有しているときに、アクティブにされるべきセッションにあるがアクティブセッションにないセッションに対応するＳＭＦノードへ第２要求メッセージを送り、アクティブセッションにあるがアクティブにされるべきセッションにないセッションに対応するＳＭＦノードへ第３要求メッセージを送るよう更に構成される。
【０２８４】
第２要求メッセージは、アクティブにされるべきセッションにあるがアクティブセッションにないセッションをアクティブにすることを要求するために使用され、第３要求メッセージは、アクティブセッションにあるがアクティブにされるべきセッションにないセッションを非アクティブにすることを要求するために使用される。
【０２８５】
任意に、第１要求メッセージが同じセッションをアクティブにすることを要求するために使用されるときに、第１要求メッセージは、削除指示情報を運び、削除指示情報は、同じセッションの（Ｒ）ＡＮトンネル情報を削除することを要求するために使用される。
【０２８６】
図１３に示されるように、本願の第１２実施形態は、通信装置１３００を提供する。装置１３００は、端末デバイスが第１ＡＮノードから第２ＡＮノードへ移動するシナリオに適用されてよい。装置１３００は、ＡＭＦノードであっても又はＡＭＦノード内にあってもよい（例えば、チップ若しくはシステム・オン・ア・チップ）。装置１３００は、図４に示される方法実施形態におけるＡＭＦノードの動作を実行するよう構成されてよい。装置１４００は、トランシーバユニット１３０１及び処理ユニット１３０２を含む。
【０２８７】
トランシーバユニット１３０１は、第２ＡＮノードを使用することによって端末デバイスからアクティブにされるべきセッションの識別情報を受信するよう構成される。
【０２８８】
処理ユニット１３０２は、トランシーバユニット１３０１を使用することによって、アクティブにされるべきセッションの識別情報に基づいてセッション管理機能ＳＭＦノードへ第１要求メッセージを送るよう構成される。第１要求メッセージは、アクティブにされるべきセッションをアクティブにすることを要求するために使用される。
【０２８９】
処理ユニット１３０２は、ＡＭＦノードと第１ＡＮノードとの間に端末デバイスのシグナリング接続が存在するときに、トランシーバユニット１３０１を使用することによって、第１ＡＮノードへコンテキスト解放コマンドを送るよう更に構成される。コンテキスト解放コマンドは、端末デバイスのコンテキストを解放することを指示するために使用される。
【０２９０】
トランシーバユニット１３０１は、第１ＡＮノードからコンテキスト解放完了メッセージを受信するよう更に構成される。コンテキスト解放完了メッセージは、端末デバイスのアクティブセッションの識別情報を運ぶ。
【０２９１】
処理ユニット１３０２は、アクティブにされるべきセッション及びアクティブセッションが同じセッションを有しているときに、同じセッションに対応するＳＭＦノードへ第２要求メッセージを送ることをスキップするよう更に構成される。第２要求メッセージは、同じセッションを非アクティブにすることを要求するために使用される。
【０２９２】
図１４に示されるように、本願の第１３実施形態は、通信装置１４００を提供する。通信装置１４００は、端末デバイスが第１ＡＮノードから第２ＡＮノードへ移動するシナリオに適用されてよい。第１ＡＮノードは、第１ＡＭＦノードによって管理され、第２ＡＮノードは、第２ＡＭＦノードによって管理される。装置１４００は、第１ＡＭＦノードであっても又は第１ＡＭＦノード内にあってもよい。具体的に、装置１４００は、図５に示される方法実施形態における第１ＡＭＦノードの動作を実行するよう構成されてよい。装置１４００は、トランシーバユニット１４０１及び処理ユニット１４０２を含む。
【０２９３】
トランシーバユニット１４０１は、第２ＡＭＦノードから第１要求メッセージを受信するよう構成される。第１要求メッセージは、端末デバイスのＭＭコンテキストを要求するために使用される。
【０２９４】
処理ユニット１４０２は、第１ＡＭＦノードと第１ＡＮノードとの間に端末デバイスのシグナリング接続が存在するときに、トランシーバユニット１４０１を使用することによって、第１ＡＮノードへコンテキスト解放コマンドを送るよう構成される。コンテキスト解放コマンドは、端末デバイスのコンテキストを解放することを指示するために使用される。
【０２９５】
トランシーバユニット１４０１は、第１ＡＮノードからコンテキスト解放完了メッセージを受信するよう更に構成される。コンテキスト解放完了メッセージは、端末デバイスのアクティブセッションの識別情報を運ぶ。
【０２９６】
トランシーバユニット１４０１は、アクティブセッションに対応するセッション管理機能ＳＭＦノードへ第２要求メッセージを送るよう更に構成される。第２要求メッセージは、アクティブセッションを非アクティブにすることを要求するために使用される。
【０２９７】
処理ユニット１４０２は、アクティブセッションが非アクティブにされた後に、トランシーバユニット１４０１を使用することによって、第２ＡＭＦノードへ第１応答メッセージを送るよう更に構成される。第１応答メッセージは、端末デバイスのＭＭコンテキストを運ぶ。
【０２９８】
図１５に示されるように、本願の第１４実施形態は、通信装置１５００を提供する。通信装置１５００は、端末デバイスが第１ＡＮノードから第２ＡＮノードへ移動するシナリオに適用されてよい。第１ＡＮノードは、第１ＡＭＦノードによって管理され、第２ＡＮノードは、第２ＡＭＦノードによって管理される。装置１５００は、第１ＡＭＦノードであっても又は第１ＡＭＦノード内にあってもよい。具体的に、装置１５００は、図６に示される方法実施形態における第１ＡＭＦノードの動作を実行するよう構成されてよい。装置１５００は、トランシーバユニット１５０１及び処理ユニット１５０２を含む。
【０２９９】
トランシーバユニット１５０１は、第２ＡＭＦノードから第１要求メッセージを受信するよう構成される。第１要求メッセージは、端末デバイスのモビリティ管理コンテキストを要求するために使用され、第１要求メッセージは、端末デバイスのアクティブにされるべきセッションの識別情報を運ぶ。
【０３００】
処理ユニット１５０２は、第１ＡＭＦノードと第１ＡＮノードとの間に端末デバイスのシグナリング接続が存在するときに、トランシーバユニット１５０１を使用することによって、第１ＡＮノードへコンテキスト解放コマンドを送るよう構成される。コンテキスト解放コマンドは、端末デバイスのコンテキストを解放することを指示するために使用される。
【０３０１】
トランシーバユニット１５０１は、第１ＡＮノードからコンテキスト解放完了メッセージを受信するよう更に構成される。コンテキスト解放完了メッセージは、端末デバイスのアクティブセッションの識別情報を運ぶ。
【０３０２】
トランシーバユニット１５０１は、第２ＡＭＦノードへ第１応答メッセージを送るよう更に構成される。第１応答メッセージは、端末デバイスのモビリティ管理コンテキストを運ぶ。
【０３０３】
任意に、アクティブにされるべきセッション及びアクティブセッションが同じセッションを有しているときに、第１応答メッセージは、同じセッションの識別情報を運ぶか、あるいは、
アクティブにされるべきセッション及びアクティブセッションが同じセッションを有していないときに、第１応答メッセージは、指示情報を更に運び、指示情報は、アクティブにされるべきセッション及びアクティブセッションが同じセッションを有していないことを示すために使用される。
【０３０４】
任意に、第１応答メッセージは、アクティブセッションの識別情報を更に運ぶ。
【０３０５】
任意に、処理ユニット１５０２は、
アクティブにされるべきセッション及びアクティブセッションが異なるセッションを有しているときに、トランシーバユニット１５０１を使用することによって、アクティブセッションにあるがアクティブにされるべきセッションにないセッションを非アクティブにすることを要求するために使用される第２要求メッセージを、アクティブセッションにあるがアクティブにされるべきセッションにないセッションに対応するセッション管理機能ＳＭＦノードへ送るよう更に構成される。
【０３０６】
図１６に示されるように、本願の第１５実施形態は、通信装置１６００を提供する。通信装置１６００は、端末デバイスが第１ＡＮノードから第２ＡＮノードへ移動するシナリオに適用されてよい。第１ＡＮノードは、第１ＡＭＦノードによって管理され、第２ＡＮノードは、第２ＡＭＦノードによって管理される。装置１６００は、第２ＡＭＦノードであっても又は第２ＡＭＦノード内にあってもよい。具体的に、装置１６００は、図６に示される方法実施形態における第２ＡＭＦノードの動作を実行するよう構成されてよい。装置１６００は、送信ユニット１６０１及び受信ユニット１６０２を含む。
【０３０７】
送信ユニット１６０１は、第１要求メッセージを第１ＡＭＦノードへ送るよう構成される。第１要求メッセージは、端末デバイスのモビリティ管理コンテキストを要求するために使用され、第１要求メッセージは、端末デバイスのアクティブにされるべきセッションの識別情報を運ぶ。
【０３０８】
受信ユニット１６０２は、第１ＡＭＦノードから第１応答メッセージを受信するよう構成される。第１応答メッセージは、端末デバイスのモビリティ管理コンテキストを運ぶ。
【０３０９】
任意に、第１応答メッセージは、端末デバイスのアクティブセッションの識別情報を更に運び、装置１６００は、
アクティブにされるべきセッション及びアクティブセッションが同じセッションを有しているときに、送信ユニット１６０１を使用することによって、同じセッションに対応するＳＭＦノードへ第２要求メッセージを送るよう構成された処理ユニット１６０３を更に含む。
【０３１０】
第２要求メッセージは、同じセッションをアクティブにすることを要求するために使用されるか、あるいは、
第２要求メッセージは、同じセッションをアクティブにすることを要求するために使用され、第２要求メッセージは、削除指示情報を運び、削除指示情報は、同じセッションの（Ｒ）ＡＮトンネル情報を削除することを示すために使用されるか、あるいは、
第２要求メッセージは、最初に同じセッションを非アクティブにし、次いで同じセッションを再びアクティブにすることを要求するために使用される。
【０３１１】
任意に、第１応答メッセージは、同じセッションの識別情報を更に運び、同じセッションは、端末デバイスのアクティブセッションとアクティブにされるべきセッションとの間の同じセッションであり、送信ユニット１６０１は、同じセッションに対応するＳＭＦノードへ第２要求メッセージを送るよう更に構成される。
【０３１２】
第２要求メッセージは、同じセッションをアクティブにすることを要求するために使用されるか、あるいは、
第２要求メッセージは、同じセッションをアクティブにすることを要求するために使用され、第２要求メッセージは、削除指示情報を運び、削除指示情報は、同じセッションの（Ｒ）ＡＮトンネル情報を削除することを示すために使用されるか、あるいは、
第２要求メッセージは、最初に同じセッションを非アクティブにし、次いで同じセッションを再びアクティブにすることを要求するために使用される。
【０３１３】
図１７に示されるように、本願の第１６実施形態は、通信装置１７００を提供する。通信装置１７００は、端末デバイスが第１ＡＮノードから第２ＡＮノードへ移動するシナリオに適用されてよい。第１ＡＮノードは、第１ＡＭＦノードによって管理され、第２ＡＮノードは、第２ＡＭＦノードによって管理される。装置１７００は、第１ＡＭＦノードであっても又は第１ＡＭＦノード内にあってもよい。具体的に、装置１７００は、図７に示される方法実施形態における第１ＡＭＦノードの動作を実行するよう構成されてよい。装置１７００は、トランシーバユニット１７０１及び処理ユニット１７０２を含む。
【０３１４】
トランシーバユニット１７０１は、第２ＡＭＦノードから第１要求メッセージを受信するよう構成される。第１要求メッセージは、端末デバイスのモビリティ管理コンテキストを要求するために使用され、第１要求メッセージは、端末デバイスのアクティブにされるべきセッションの識別情報を運ぶ。
【０３１５】
トランシーバユニット１７０１は、第１応答メッセージを第２ＡＭＦノードへ送るよう更に構成される。第１応答メッセージは、端末デバイスのモビリティ管理コンテキストを運ぶ。
【０３１６】
処理ユニット１７０２は、第１ＡＭＦノードと第１ＡＮノードとの間に端末デバイスのシグナリング接続が存在するときに、トランシーバユニット１７０１を使用することによって、第１ＡＮノードへコンテキスト解放コマンドを送るよう構成される。コンテキスト解放コマンドは、端末デバイスのコンテキストを解放することを指示するために使用される。
【０３１７】
トランシーバユニット１７０１は、第１ＡＮノードからコンテキスト解放完了メッセージを受信するよう更に構成される。コンテキスト解放完了メッセージは、端末デバイスのアクティブセッションの識別情報を運ぶ。
【０３１８】
処理ユニット１７０２は、アクティブにされるべきセッション及びアクティブセッションが同じセッションを有しているときに、同じセッションに対応するセッション管理機能ＳＭＦノードへ第２要求メッセージを送ることをスキップするよう更に構成される。第２要求メッセージは、同じセッションを非アクティブにすることを要求するために使用される。
【０３１９】
任意に、処理ユニット１７０２は、
アクティブにされるべきセッション及びアクティブセッションが異なるセッションを有しているときに、トランシーバユニット１７０１を使用することによって、アクティブセッションにあるがアクティブにされるべきセッションにないセッションを非アクティブにすることを要求するために使用される第３要求メッセージを、アクティブセッションにあるがアクティブにされるべきセッションにないセッションに対応するＳＭＦノードへ送るよう更に構成される。
【０３２０】
図１８に示されるように、本願の第１７実施形態は、通信装置１８００を提供する。装置１８００は、ＳＭＦノード又はＳＭＦノード内のチップ若しくはシステム・オン・ア・チップであってよい。装置１８００は、上記の方法実施形態におけるＳＭＦノードの動作を実行するよう構成されてよい。装置１８００は、トランシーバユニット１８０１及び処理ユニット１８０２を含む。
【０３２１】
トランシーバユニット１８０１は、ＡＭＦノードから要求メッセージを受信するよう構成される。要求メッセージは、セッションをアクティブにすることを要求するために使用され、要求メッセージは、削除指示情報を運ぶ。削除指示情報は、セッションの（Ｒ）ＡＮトンネル情報を削除することを指示するために使用される。
【０３２２】
処理ユニット１８０２は、削除指示情報に従ってセッションの（Ｒ）ＡＮトンネル情報を削除するよう構成される。
【０３２３】
トランシーバユニット１８０１は、応答メッセージをＡＭＦノードへ送るよう更に構成される。応答メッセージは、セッションのコアネットワークトンネル情報を運ぶ。
【０３２４】
図１９に示されるように、本願の第１８実施形態は、通信装置１９００を提供する。装置１９００は、ＳＭＦノード又はＳＭＦノード内のチップ若しくはシステム・オン・ア・チップであってよい。装置１９００は、上記の方法実施形態におけるＳＭＦノードの動作を実行するよう構成されてよい。装置１９００は、トランシーバユニット１９０１及び処理ユニット１９０２を含む。
【０３２５】
トランシーバユニット１９０１は、アクセス制御及びモビリティ管理機能ＡＭＦノードから要求メッセージを受信するよう構成される。要求メッセージは、最初にセッションを非アクティブにし、次いでセッションを再びアクティブにすることを要求するために使用される。
【０３２６】
処理ユニット１９０２は、要求メッセージに基づいてセッションの（Ｒ）ＡＮトンネル情報を削除するよう構成される。
【０３２７】
トランシーバユニット１９０１は、応答メッセージをＡＭＦノードへ送るよう更に構成される。応答メッセージは、セッションのコアネットワークトンネル情報を運ぶ。
【０３２８】
図２０に示されるように、本願の第１９実施形態は、通信装置２０００を提供する。装置２０００は、ＳＭＦノード又はＳＭＦノード内のチップ若しくはシステム・オン・ア・チップであってよい。装置２０００は、上記の方法実施形態におけるＳＭＦノードの動作を実行するよう構成されてよい。装置２０００は、トランシーバユニット２００１及び処理ユニット２００２を含む。
【０３２９】
トランシーバユニット２００１は、ＡＭＦノードから要求メッセージを受信するよう構成される。要求メッセージは、セッションをアクティブにすることを要求するために使用される。
【０３３０】
処理ユニット２００２は、セッションがアクティブ状態にあるときにセッションの（Ｒ）ＡＮトンネル情報を削除するよう構成される。
【０３３１】
任意に、トランシーバユニット２００１は、セッションのコアネットワークトンネル情報をＡＭＦノードへ送るよう更に構成される。
【０３３２】
上記の装置実施形態で言及されているユニットは、ハードウェアの形で実装され得ることが留意されるべきである。例えば、トランシーバユニットは、トランシーバ又は通信インターフェイスであってよく、処理ユニットは、プロセッサであってよく、受信ユニット及び送信ユニットは両方とも、通信インターフェイス又はトランシーバであってよい。ユニットは、代替的に、ソフトウェア機能モジュールの形で実装されてもよい。
【０３３３】
図２１に示されるように、本願の第２０実施形態は、通信装置２１００の概略図を提供する。装置２１００は、少なくとも１つのプロセッサ２１０１及びメモリ２１０２を含み、更には、通信バス２１０３及び少なくとも１つの通信インターフェイス２１０４を含んでもよい。装置２１００は、本願の実施形態におけるいずれかのデバイスであってよく、装置２１００は、本願の実施形態で提供される方法を実行するよう構成されてよい。
【０３３４】
プロセッサ２１０１は、本願の解決法におけるプログラム実行を制御するための汎用の中央演算処理装置（ＣＰＵ）、マイクロプロセッサ、特定用途向け集積回路（application-specific  integrated  circuit，ＡＳＩＣ）、又は１つ以上の集積回路であってよい。
【０３３５】
メモリ２１０２は、静的情報及び命令を記憶することができるリード・オンリー・メモリ（read-only  memory，ＲＯＭ）若しくは他のタイプの静的記憶デバイス、又は情報及び命令を記憶することができるランダム・アクセス・メモリ（random  access  memory，ＲＡＭ）若しくは他のタイプの動的記憶デバイスであってよく、あるいは、電気的消去可能なプログラム可能リード・オンリー・メモリ（Electrically  Erasable  Programmable  Read-Only  Memory，ＥＥＰＲＯＭ）、コンパクト・ディスク・リード・オンリー・メモリ（Compact  Disc  Read-Only  Memory，ＣＤ−ＲＯＭ）若しくは他のコンパクトディスクストレージ、光ディスクストレージ（圧縮光ディスク、レーザディスク、光ディスク、デジタル・バーサタイル・ディスク、ブルーレイ・ディスク、など）、磁気ディスク媒体若しくは他の磁気記憶デバイス、又は期待されるプログラムコードを命令若しくはデータ構造の形で担持若しくは記憶することができ且つ装置２１００によってアクセス可能であるあらゆる他の媒体であってよい。なお、メモリ２１０２は、これらに限られない。メモリは、独立して存在してよく、バスを使用することによってプロセッサへ接続される。代替的に、メモリは、プロセッサと一体化されてもよい。
【０３３６】
通信バス２１０３は、上記の構成要素の間で情報を転送するためのチャネルを含んでよい。
【０３３７】
通信インターフェイス２１０４は、トランシーバのような如何なる装置であってもよく、Ｅｔｈｅｒｎｅｔネットワーク、ＲＡＮ、又はＷＬＡＮなどの他のデバイス又は通信ネットワークと通信するよう構成される。
【０３３８】
メモリ２１０３は、プログラムコードを記憶するよう構成され、プロセッサ２１０１は、メモリ２１０２に記憶されているプログラムコードを実行するよう構成される。
【０３３９】
例えば、プロセッサ２１０１は、図２１のＣＰＵ０及びＣＰＵ１などの１つ以上のＣＰＵを含んでよい。
【０３４０】
例えば、装置２１００は、図２１のプロセッサ２１０１及びプロセッサ２１０５などの複数のプロセッサを含んでよい。プロセッサの夫々は、シングルコア（single-CPU）プロセッサであってよく、あるいは、マルチコア（multi-CPU）プロセッサであってよい。ここで、プロセッサは、データ（コンピュータプログラム命令など）を処理するために使用される１つ以上のデバイス、回路、及び／又はプロセッシングコアであってよい。
【０３４１】
例えば、図２１に示される装置は、プライオリティ管理デバイス又はプライオリティ管理デバイスの一部であってよく、１つ以上のソフトウェアモジュールが、図２１に示される装置のメモリに記憶されている。図２１に示される装置は、プロセッサを使用することによってメモリ内のプログラムコードを実行することで、本願の各実施形態におけるＡＭＦノード、第１ＡＭＦノード、又は第２ＡＭＦノードによって実行されるステップを実装し得る。
【０３４２】
例えば、図２１に示される装置は、サービスサーバ又はサービスサーバの一部であってよく、１つ以上のソフトウェアモジュールが、図２１に示される装置のメモリに記憶されている。図２１に示される装置は、プロセッサを使用することによってメモリ内のプログラムコードを実行することで、本願の各実施形態におけるＳＭＦノードによって実行されるステップを実装し得る。
【０３４３】
本願の実施形態は、プログラムコードを記憶しているコンピュータ記憶媒体を更に提供する。プログラムコードがプロセッサによって実行されるとき、プログラムコードは、各方法実施形態におけるプライオリティ管理デバイスのステップを実行するために使用されてよい。
【０３４４】
本願の実施形態は、プログラムコードを記憶しているコンピュータ記憶媒体を更に提供する。プログラムコードがプロセッサによって実行されるとき、プログラムコードは、各方法実施形態におけるサービスサーバ（例えば、第１サービスサーバ又は第２サービスサーバ）のステップを実行するために使用されてよい。
【０３４５】
本願の実施形態は、プログラムコードを記憶しているコンピュータ記憶媒体を更に提供する。プログラムコードがプロセッサによって実行されるとき、プログラムコードは、各方法実施形態におけるクライアントのステップを実行するために使用されてよい。
【０３４６】
本願の実施形態は、通信システムを更に提供する。通信システムは、図１２及び図２０に示される通信装置を含むか、あるいは、図２０及び図１３に示される通信装置を含むか、あるいは、図１８乃至図２０に示されるいずれかの通信装置並びに図１５及び図１６に示される通信装置を含むか、あるいは、図１７及び図２０に示される通信装置を含む。
【０３４７】
上記の実施形態の全て又は一部は、ソフトウェア、ハードウェア、ファームウェア、又はそれらの任意の組み合わせを使用することによって実装されてよい。ソフトウェアが実施形態を実装するために使用されるとき、実施形態は、完全に又は部分的にコンピュータプログラム製品の形で実装されてよい。コンピュータプログラム製品は、１つ以上のコンピュータ命令を含む。コンピュータプログラム命令がコンピュータでロード及び実行されるとき、本願の実施形態に従うプロシージャ又は機能は全て又は部分的に生成される。コンピュータは、汎用コンピュータ、専用コンピュータ、コンピュータネットワーク、又はプログラム可能な装置であってよい。コンピュータ命令は、コンピュータ可読記憶媒体に記憶されてよく、あるいは、コンピュータ可読記憶媒体から他のコンピュータ可読記憶媒体へ送られてもよい。例えば、コンピュータ命令は、ウェブサイト、コンピュータ、サーバ、又はデータセンタから、他のウェブサイト、コンピュータ、サーバ、又はデータセンタへ有線（例えば、同軸ケーブル、光ファイバ、若しくはデジタル加入者回線（ＤＳＬ））又は無線（例えば、赤外線、電波、若しくはマイクロ波）方式で送られてよい。コンピュータ可読記憶媒体は、コンピュータによってアクセス可能な任意の使用可能な媒体、又はサーバ若しくはデータセンタなどの、１つ以上の使用可能な媒体を組み込むデータ記憶デバイスであってよい。使用可能な媒体は、磁気媒体（例えば、フロッピーディスク、ハードディスク、若しくは磁気テープ）、光学媒体（例えば、ＤＶＤ）、半導体媒体（例えば、固体状態ドライブSolid  State  Disk（ＳＳＤ））、などであってよい。
【図１】
2021503851.tif 000003
【図２】
2021503851.tif 000004
【図３】
2021503851.tif 000005
【図４】
2021503851.tif 000006
【図５】
2021503851.tif 000007
【図６】
2021503851.tif 000008
【図７】
2021503851.tif 000009
【図８】
2021503851.tif 000010
【図９】
2021503851.tif 000011
【図１０】
2021503851.tif 000012
【図１１】
2021503851.tif 000013
【図１２】
2021503851.tif 000014
【図１３】
2021503851.tif 000015
【図１４】
2021503851.tif 000016
【図１５】
2021503851.tif 000017
【図１６】
2021503851.tif 000018
【図１７】
2021503851.tif 000019
【図１８】
2021503851.tif 000020
【図１９】
2021503851.tif 000021
【図２０】
2021503851.tif 000022
【図２１】
2021503851.tif 000023
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
通信方法であって、該方法は、端末デバイスが第１アクセスネットワーク（ＡＮ）ノードから第２ＡＮノードへ移動するシナリオに適用される、前記方法において、
アクセス制御及びモビリティ管理機能（ＡＭＦ）ノードによって、前記第２ＡＮノードを使用することによって前記端末デバイスからアクティブにされるべきセッションの識別情報を受信することと、
前記ＡＭＦノードによって、前記アクティブにされるべきセッションの前記識別情報に基づいて、前記アクティブにされるべきセッションをアクティブにすることを要求するために使用される第１要求メッセージをセッション管理機能（ＳＭＦ）ノードへ送ることと、
前記ＡＭＦノードによって、前記ＡＭＦノードと前記第１ＡＮノードとの間に前記端末デバイスのシグナリング接続が存在するときに、前記端末デバイスのコンテキストを解放することを指示するために使用されるコンテキスト解放コマンドを前記第１ＡＮノードへ送ることと、
前記ＡＭＦノードによって、前記第１ＡＮノードから、前記端末デバイスのアクティブセッションの識別情報を運ぶコンテキスト解放完了メッセージを受信することと、
前記アクティブセッションにあるが前記アクティブにされるべきセッションにない第１セッションが存在することに応答して、前記ＡＭＦノードによって、前記第１セッションに対応するＳＭＦノードへ、前記第１セッションを非アクティブにする要求を送ることと
を有する方法。
【請求項２】
前記アクティブセッションにあり且つ前記アクティブにされるべきセッションにもある第２セッションが存在することに応答して、前記ＡＭＦノードによって、前記第２セッションを非アクティブにすることを要求するために使用される第２要求メッセージを、前記第２セッションに対応するＳＭＦノードへ送ることをスキップすることを更に有する、
請求項１に記載の方法。
【請求項３】
前記第１要求メッセージは、アップデートセッション管理コンテキスト要求メッセージである、
請求項１又は２に記載の方法。
【請求項４】
前記第１要求メッセージは、前記アクティブにされるべきセッションの前記識別情報を運ぶ、
請求項１乃至３のうちいずれか一項に記載の方法。
【請求項５】
前記端末デバイスから受信される前記アクティブにされるべきセッションの前記識別情報は、サービス要求メッセージにおいて運ばれる、
請求項１乃至４のうちいずれか一項に記載の方法。
【請求項６】
前記ＳＭＦノードによって前記第１要求メッセージを受信することと、
前記ＳＭＦノードによって、前記アクティブにされるべきセッションがアクティブ状態にあることに応答して、前記アクティブにされるべきセッションの（無線）アクセスネットワーク（（Ｒ）ＡＮ）トンネル情報を削除することと
を更に有する、請求項１乃至５のうちいずれか一項に記載の方法。
【請求項７】
前記ＳＭＦノードによって、前記アクティブにされるべきセッションが前記アクティブ状態にあることを決定することを更に有する、
請求項６に記載の方法。
【請求項８】
前記決定することは、前記第１要求メッセージを受信することの後で実行される、
請求項７に記載の方法。
【請求項９】
通信方法であって、
セッション管理機能（ＳＭＦ）ノードによって、セッションをアクティブにすることを要求するために使用される要求メッセージをアクセス制御及びモビリティ管理機能（ＡＭＦ）ノードから受信することと、
前記ＳＭＦノードによって、前記セッションがアクティブ状態にあるときに前記セッションの（無線）アクセスネットワーク（（Ｒ）ＡＮ）トンネル情報を削除することと
を有する方法。
【請求項１０】
前記ＳＭＦノードによって、前記セッションが前記アクティブ状態にあることを決定することを更に有する、
請求項９に記載の方法。
【請求項１１】
前記決定することは、前記受信することの後で実行される、
請求項１０に記載の方法。
【請求項１２】
前記要求メッセージは、アップデートセッション管理コンテキスト要求メッセージである、
請求項９乃至１１のうちのいずれか一項に記載の方法。
【請求項１３】
コンピュータプログラムであって、
前記コンピュータプログラムが少なくとも１つのプロセッサによって実行されるときに、前記コンピュータプログラムは、前記少なくとも１つのプロセッサに、請求項１乃至５及び９乃至１２のうちいずれか一項に記載の方法を実行させる、
コンピュータプログラム。
【請求項１４】
請求項１３に記載のコンピュータプログラムを記憶しているコンピュータ可読記憶媒体。
【請求項１５】
メモリ及びプロセッサを有し、
前記メモリは、コンピュータプログラムを記憶するよう構成され、
前記プロセッサは、前記メモリに記憶されている前記コンピュータプログラムを実行するよう構成され、前記コンピュータプログラムが実行されるときに、請求項１乃至５及び９乃至１２のうちいずれか一項に記載の方法が実装される、
通信装置。
【請求項１６】
通信システムであって、該システムは、アクセス制御及びモビリティ管理機能（ＡＭＦ）ノードと、セッション管理機能（ＳＭＦ）ノードとを有し、
前記ＡＭＦノードは、端末デバイスから、該端末デバイスが第１アクセスネットワーク（ＡＮ）ノードから移動する先のＡＮノードである第２ＡＮノードを介して、アクティブにされるべきセッションの識別情報を受信し、前記アクティブにされるべきセッションの前記識別情報に基づいて前記アクティブにされるべきセッションをアクティブにすることを要求するために使用される第１要求メッセージを前記ＳＭＦノードへ送るよう構成され、
前記ＳＭＦノードは、前記第１要求メッセージを受信し、前記アクティブにされるべきセッションがアクティブ状態にあることに応答して、前記アクティブにされるべきセッションの（無線）アクセスネットワーク（（Ｒ）ＡＮ）トンネル情報を削除するよう構成され、
前記ＡＭＦノードは、前記ＡＭＦノードと第１ＡＮノードとの間に前記端末デバイスのシグナリング接続が存在するときに、前記端末デバイスのコンテキストを解放することを指示するために使用されるコンテキスト解放コマンドを前記第１ＡＮノードへ送り、該第１ＡＮノードから、前記端末デバイスのアクティブセッションの識別情報を運ぶコンテキスト解放完了メッセージを受信し、前記アクティブセッションにあるが前記アクティブにされるべきセッションにない第１セッションが存在することに応答して、前記第１セッションに対応するＳＭＦノードへ、前記第１セッションを非アクティブにする要求を送るよう更に構成される、
システム。
【請求項１７】
前記ＡＭＦノードは、
前記アクティブセッションにあり且つ前記アクティブにされるべきセッションにもある第２セッションが存在することに応答して、前記第２セッションを非アクティブにすることを要求するために使用される第２要求メッセージを、前記第２セッションに対応するＳＭＦノードへ送ることをスキップするよう更に構成される、
請求項１６に記載のシステム。
【請求項１８】
前記第１要求メッセージは、アップデートセッション管理コンテキスト要求メッセージである、
請求項１６又は１７に記載のシステム。
【請求項１９】
前記端末デバイスから受信される前記アクティブにされるべきセッションの前記識別情報は、サービス要求メッセージにおいて運ばれる、
請求項１６乃至１８のうちいずれか一項に記載のシステム。
【請求項２０】
前記ＳＭＦノードは、前記アクティブにされるべきセッションが前記アクティブ状態にあることを決定するよう更に構成される、
請求項１６乃至１９のうちいずれか一項に記載のシステム。
【請求項２１】
前記決定することは、前記第１要求メッセージを受信することの後で実行される、
請求項２０に記載のシステム。

【手続補正２】
【補正対象書類名】明細書
【補正対象項目名】０００６
【補正方法】変更
【補正の内容】
【０００６】
第１の態様に従って、通信方法が提供される。方法は、端末デバイスが第１アクセスネットワーク（ＡＮ）ノードから第２ＡＮノードへ移動するシナリオに適用される。方法は、アクセス制御及びモビリティ管理機能（ＡＭＦ）ノードによって、第２ＡＮノードを使用することによって端末デバイスからアクティブにされるべきセッションの識別情報を受信することと、ＡＭＦノードによって、ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、ＡＭＦノードによって、端末デバイスのアクティブセッションの識別情報を運ぶコンテキスト解放完了メッセージを第１ＡＮノードから受信することと、アクティブにされるべきセッション及びアクティブセッションが同じセッションを有しているときに、ＡＭＦノードによって、同じセッションを非アクティブにすることを要求するために使用される第１要求メッセージを、同じセッションに対応するセッション管理機能ＳＭＦノードへ送ることと、ＡＭＦノードによって、同じセッションが非アクティブにされた後に、同じセッションをアクティブにすることを要求するために使用される第２要求メッセージをＳＭＦノードへ送ることとを含む。方法において、第２ＡＮノードを使用することによって端末デバイスからアクティブにされるべきセッションの識別情報を受信した後、ＡＭＦノードは、セッションをアクティブにすることを要求するために使用されるメッセージをＳＭＦノードへ直ちには送信しない。代わりに、ＡＭＦノードは、ＡＭＦノードと第１ＡＮノードとの間に端末デバイスのシグナリング接続が存在するときにシグナリング接続を解放する。例えば、ＡＭＦノードは、コンテキスト解放コマンドを第１ＡＮノードへ送り、端末デバイスのアクティブセッションの識別情報を受信する。アクティブセッション及びアクティブにされるべきセッションが同じセッションを有しているときに、ＡＭＦノードは最初に、同じセッションを非アクティブにすることを要求し、次いで、同じセッションをアクティブにすることを要求する。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【手続補正３】
【補正対象書類名】明細書
【補正対象項目名】００１０
【補正方法】変更
【補正の内容】
【００１０】
第２の態様を参照して、第２の態様の第２の実施において、第１要求メッセージが同じセッションをアクティブにすることを要求するために使用されるときに、第１要求メッセージは、削除指示情報を運び、削除指示情報は、同じセッションの（無線）アクセスネットワーク（（Ｒ）ＡＮ）トンネル情報を削除することを指示するために使用される。すなわち、同じセッションがアクティブにされる前に、セッションの（Ｒ）ＡＮトンネル情報は削除される。このように、ＵＰＦノードが情報に基づいて端末デバイスのデータを第１ＡＮノードへ送るために引き起こされたデータ伝送失敗は、回避される。
【手続補正４】
【補正対象書類名】明細書
【補正対象項目名】００１２
【補正方法】変更
【補正の内容】
【００１２】
第４の態様に従って、通信方法が提供される。方法は、端末デバイスが第１アクセスネットワーク（ＡＮ）ノードから第２ＡＮノードへ移動するシナリオに適用される。第１ＡＮノードは、第１アクセス制御及びモビリティ管理機能（ＡＭＦ）ノードによって管理され、第２ＡＮノードは、第２ＡＭＦノードによって管理される。方法は、第１ＡＭＦノードによって、端末デバイスのモビリティ管理（ＭＭ）コンテキスト（MM  context）を要求するために使用される第１要求メッセージを第２ＡＭＦノードから受信することと、第１ＡＭＦノードによって、第１ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、第１ＡＭＦノードによって、端末デバイスのアクティブセッションの識別情報を運ぶコンテキスト解放完了メッセージを第１ＡＮノードから受信することと、第１ＡＭＦノードによって、アクティブセッションを非アクティブにすることを要求するために使用される第２要求メッセージを、アクティブセッションに対応するＳＭＦノードへ送ることと、第１ＡＭＦノードによって、アクティブセッションが非アクティブにされた後に、端末デバイスのＭＭコンテキストを運ぶ第１応答メッセージを第２ＡＭＦノードへ送ることとを含む。方法において、第１ＡＭＦノードは、端末デバイスのコンテキストを要求するために使用されるメッセージを第２ＡＭＦノードから受信する。第１ＡＭＦノードは、第１ＡＭＦノードと第１ＡＮノードとの間に端末デバイスのシグナリング接続が存在するときにシグナリング接続を解放する。例えば、コンテキスト解放コマンドを第１ＡＮノードへ送り、端末デバイスのアクティブセッションの識別情報を受信した後、第１ＡＭＦノードは、アクティブセッションを非アクティブにするようＳＭＦノードに要求し、非アクティブ化が成功した後に第２ＡＭＦノードへ端末デバイスのコンテキストを送る。それにより、対応するセッションは、第２ＡＭＦノードが端末デバイスのコンテキストを受信し、それからセッションをアクティブにすることを要求するときに、非アクティブにされることに成功している。このように、セッションをアクティブにすることが要求された直後にセッションを非アクティブにすることが要求されるために引き起こされた先行技術のアクティブ化失敗問題は解消され、それによって、セッションアクティブ化の成功率は改善され、ユーザ経験は改善される。
【手続補正５】
【補正対象書類名】明細書
【補正対象項目名】００１３
【補正方法】変更
【補正の内容】
【００１３】
第５の態様に従って、通信方法が提供される。方法は、端末デバイスが第１アクセスネットワーク（ＡＮ）ノードから第２ＡＮノードへ移動するシナリオに適用される。第１ＡＮノードは、第１アクセス制御及びモビリティ管理機能（ＡＭＦ）ノードによって管理され、第２ＡＮノードは、第２ＡＭＦノードによって管理される。方法は、第１ＡＭＦノードによって、端末デバイスのモビリティ管理コンテキスト要求するために使用され且つ端末デバイスのアクティブにされるべきセッションの識別情報を運ぶ第１要求メッセージを第２ＡＭＦノードから受信することと、第１ＡＭＦノードによって、第１ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、第１ＡＭＦノードによって、端末デバイスのアクティブセッションの識別情報を運ぶコンテキスト解放完了メッセージを第１ＡＮノードから受信することと、第１ＡＭＦノードによって、端末デバイスのモビリティ管理コンテキストを運ぶ第１応答メッセージを第２ＡＭＦノードへ送ることとを含む。方法において、第１ＡＭＦノードは、第２ＡＭＦノードから、端末デバイスのコンテキストを要求するために使用されるメッセージを受信する。メッセージは、アクティブにされるべきセッションの識別情報を運ぶ。第１ＡＭＦノードは、第１ＡＭＦノードと第１ＡＮノードとの間に端末デバイスのシグナリング接続が存在するときにシグナリング接続を解放する。例えば、第１ＡＭＦノードは、コンテキスト解放コマンドを第１ＡＮノードへ送り、コンテキスト解放完了メッセージを受信した後に端末デバイスのコンテキストを第２ＡＭＦノードへ送る。このように、第２ＡＭＦノードは、第２ＡＭＦノードがセッションの識別子を受信した直後に、アクティブにされるべきセッションをアクティブにするようＳＭＦノードに要求せず、それによって、セッションアクティブ化の成功率は改善され、ユーザ経験は改善される。加えて、アクティブにされるべきセッションの識別情報に基づいて、第１ＡＭＦノードは、アクティブにされるべきセッションを非アクティブにするようＳＭＦノードに要求しない。このように、セッションをアクティブにすることが要求された直後にセッションを非アクティブにすることが要求されるために引き起こされた先行技術のアクティブ化失敗問題は解消される。
【手続補正６】
【補正対象書類名】明細書
【補正対象項目名】００１６
【補正方法】変更
【補正の内容】
【００１６】
第５の態様又は第５の態様の上記の実施のうちのどちら一方を参照して、第５の態様の第３の実施において、方法は、アクティブにされるべきセッション及びアクティブセッションが異なるセッションを有しているときに、第１ＡＭＦノードによって、アクティブセッションにあるがアクティブにされるべきセッションにないセッションを非アクティブにすることを要求するために使用される第２要求メッセージを、アクティブセッションにあるがアクティブにされるべきセッションにないセッションに対応するセッション管理機能（ＳＭＦ）ノードへ送ることを更に含む。このように、異なるセッションに対する非アクティブ化は実装される。
【手続補正７】
【補正対象書類名】明細書
【補正対象項目名】００１７
【補正方法】変更
【補正の内容】
【００１７】
第６の態様に従って、通信方法が提供される。方法は、端末デバイスが第１アクセスネットワーク（ＡＮ）ノードから第２ＡＮノードへ移動するシナリオに適用される。第１ＡＮノードは、第１アクセス制御及びモビリティ管理機能（ＡＭＦ）ノードによって管理され、第２ＡＮノードは、第２ＡＭＦノードによって管理される。方法は、第２ＡＭＦノードによって、端末デバイスのモビリティ管理コンテキストを要求するために使用され且つ端末デバイスのアクティブにされるべきセッションの識別情報を運ぶ第１要求メッセージを第１ＡＭＦノードへ送ることと、第２ＡＭＦノードによって、端末デバイスのモビリティ管理コンテキストを運ぶ第１応答メッセージを第１ＡＭＦノードから受信することとを含む。アクティブにされるべきセッションの識別情報に基づいて、第１ＡＭＦノードは、アクティブにされるべきセッションを非アクティブにするようＳＭＦノードに要求しない。このように、セッションをアクティブにすることが要求された直後にセッションを非アクティブにすることが要求されるために引き起こされた先行技術のアクティブ化失敗問題は解消される。
【手続補正８】
【補正対象書類名】明細書
【補正対象項目名】００１９
【補正方法】変更
【補正の内容】
【００１９】
第２要求メッセージは、同じセッションをアクティブにすることを要求するために使用されるか、あるいは、
第２要求メッセージは、同じセッションをアクティブにすることを要求するために使用され、第２要求メッセージは、削除指示情報を運び、削除指示情報は、同じセッションの（無線）アクセスネットワーク（（Ｒ）ＡＮ）トンネル情報を削除することを指示するために使用されるか、あるいは、
第２要求メッセージは、最初に同じセッションを非アクティブにし、次いで同じセッションを再びアクティブにすることを要求するために使用される。
【手続補正９】
【補正対象書類名】明細書
【補正対象項目名】００２２
【補正方法】変更
【補正の内容】
【００２２】
第７の態様に従って、通信方法が提供される。方法は、端末デバイスが第１アクセスネットワーク（ＡＮ）ノードから第２ＡＮノードへ移動するシナリオに適用される。第１ＡＮノードは、第１アクセス制御及びモビリティ管理機能（ＡＭＦ）ノードによって管理され、第２ＡＮノードは、第２ＡＭＦノードによって管理される。方法は、第１ＡＭＦノードによって、端末デバイスのモビリティ管理コンテキストを要求するために使用され且つ端末デバイスのアクティブにされるべきセッションの識別情報を運ぶ第１要求メッセージを第２ＡＭＦノードから受信することと、第１ＡＭＦノードによって、端末デバイスのモビリティ管理コンテキストを運ぶ第１応答メッセージを第２ＡＭＦノードへ送ることと、第１ＡＭＦノードによって、第１ＡＭＦノードと第１ＡＮノードとの間に端末デバイスのシグナリング接続が存在するときに、端末デバイスのコンテキストを解放することを指示するために使用されるコンテキスト解放コマンドを第１ＡＮノードへ送ることと、第１ＡＭＦノードによって、端末デバイスのアクティブセッションの識別情報を運ぶコンテキスト解放完了メッセージを第１ＡＮノードから受信することと、アクティブにされるべきセッション及びアクティブセッションが同じセッションを有しているときに、第１ＡＭＦノードによって、同じセッションを非アクティブにすることを要求するために使用される第２要求メッセージを、同じセッションに対応するセッション管理機能（ＳＭＦ）ノードへ送ることをスキップすることとを含む。方法において、第２ＡＭＦノードから第１要求メッセージを受信した後、第１ＡＭＦノードは、第１要求メッセージに対応する応答メッセージにより直ちに応答する。このように、第２ＡＭＦノードは、応答メッセージを受信した後にセッションをアクティブにすることを要求し、そして、アクティブセッションの識別情報を受信した後、第１ＡＭＦノードは、アクティブセッション及びアクティブにされるべきセッションが同じセッションを有しているかどうかを決定する。第１ＡＭＦノードは、同じセッションを非アクティブにするようＳＭＦノードに要求しない。このように、セッションをアクティブにすることが要求された直後にセッションを非アクティブにすることが要求されるために引き起こされた先行技術のアクティブ化失敗問題は解消され、それによって、セッションアクティブ化の成功率は改善される。
【手続補正１０】
【補正対象書類名】明細書
【補正対象項目名】００２４
【補正方法】変更
【補正の内容】
【００２４】
第８の態様に従って、通信方法が提供される。方法は、ＳＭＦノードによって、セッションをアクティブにすることを要求するために使用され且つ削除指示情報を運び、削除指示情報がセッションの（無線）アクセスネットワーク（（Ｒ）ＡＮ）トンネル情報を削除することを指示するために使用される要求メッセージをアクセス制御及びモビリティ管理機能（ＡＭＦ）ノードから受信することと、ＳＭＦノードによって、削除指示情報に従ってセッションの（Ｒ）ＡＮトンネル情報を削除することと、ＳＭＦノードによって、セッションのコアネットワークトンネル情報を運ぶ応答メッセージをＡＭＦノードへ送ることとを含む。方法において、（Ｒ）ＡＮトンネル情報は削除される。このように、ＵＰＦノードが情報に基づいて第１ＡＮノードへ端末デバイスのデータを送るために引き起こされたデータ伝送失敗は、回避される。
【手続補正１１】
【補正対象書類名】明細書
【補正対象項目名】００２５
【補正方法】変更
【補正の内容】
【００２５】
第９の態様に従って、通信方法が提供される。方法は、セッション管理機能（ＳＭＦ）ノードによって、最初にセッションを非アクティブにし、次いでセッションを再びアクティブにすることを要求するために使用される要求メッセージをアクセス制御及びモビリティ管理機能（ＡＭＦ）ノードから受信することと、ＳＭＦノードによって、要求メッセージに基づいてセッションの（無線）アクセスネットワーク（（Ｒ）ＡＮ）トンネル情報を削除することと、ＳＭＦノードによって、セッションのコアネットワークトンネル情報を運ぶ応答メッセージをＡＭＦノードへ送ることとを含む。方法において、（Ｒ）ＡＮトンネル情報は削除される。このように、ＵＰＦノードが情報に基づいて第１ＡＮノードへ端末デバイスのデータを送るために引き起こされたデータ伝送失敗は、回避される。
【手続補正１２】
【補正対象書類名】明細書
【補正対象項目名】００２６
【補正方法】変更
【補正の内容】
【００２６】
第１０の態様に従って、通信方法が提供される。方法は、セッション管理機能（ＳＭＦ）ノードによって、セッションをアクティブにすることを要求するために使用される要求メッセージをアクセス制御及びモビリティ管理機能（ＡＭＦ）ノードから受信することと、ＳＭＦノードによって、セッションがアクティブ状態にあるときにセッションの（無線）アクセスネットワーク（（Ｒ）ＡＮ）トンネル情報を削除することとを含む。方法において、（Ｒ）ＡＮトンネル情報は削除される。このように、ＵＰＦノードが情報に基づいて第１ＡＮノードへ端末デバイスのデータを送るために引き起こされたデータ伝送失敗は、回避される。
【手続補正１３】
【補正対象書類名】明細書
【補正対象項目名】００６２
【補正方法】変更
【補正の内容】
【００６２】
端末デバイスは、無線通信機能を備えている様々な手持ち式デバイス、車載デバイス、装着型デバイス、若しくはコンピュータデバイス、又は無線モデムへ接続された他の処理デバイス、及び水量計、電気メータ、若しくはセンサなどの様々な形をとる移動局（mobile  station，ＭＳ）、端末（terminal）、ユーザ装置（user  equipment，ＵＥ）、ソフトウェア端末、などを含んでよい。
【手続補正１４】
【補正対象書類名】明細書
【補正対象項目名】０２６９
【補正方法】変更
【補正の内容】
【０２６９】
具体的に、要求メッセージは、アップデートセッション管理コンテキスト要求メッセージ、例えば、Ｎｓｍｆ＿ＰＤＵＳｅｓｓｉｏｎ＿ｕｐｄａｔｅＳＭＣｏｎｔｅｘｔ  Ｒｅｑｕｅｓｔメッセージであってよい。メッセージは、アクティブ化指示情報を運んでよい。アクティブ化指示情報は、アップデートセッション管理コンテキスト要求メッセージがセッションをアクティブにすることを要求するために使用されることを示すために使用される。応答メッセージは、Ｎｓｍｆ＿ＰＤＵＳｅｓｓｉｏｎ＿ｕｐｄａｔｅＳＭＣｏｎｔｅｘｔ  Ｒｅｓｐｏｎｓｅであってよい。
【手続補正１５】
【補正対象書類名】明細書
【補正対象項目名】０２８８
【補正方法】変更
【補正の内容】
【０２８８】
処理ユニット１３０２は、トランシーバユニット１３０１を使用することによって、アクティブにされるべきセッションの識別情報に基づいてセッション管理機能（ＳＭＦ）ノードへ第１要求メッセージを送るよう構成される。第１要求メッセージは、アクティブにされるべきセッションをアクティブにすることを要求するために使用される。
【手続補正１６】
【補正対象書類名】明細書
【補正対象項目名】０２９６
【補正方法】変更
【補正の内容】
【０２９６】
トランシーバユニット１４０１は、アクティブセッションに対応するセッション管理機能（ＳＭＦ）ノードへ第２要求メッセージを送るよう更に構成される。第２要求メッセージは、アクティブセッションを非アクティブにすることを要求するために使用される。
【手続補正１７】
【補正対象書類名】明細書
【補正対象項目名】０３０５
【補正方法】変更
【補正の内容】
【０３０５】
任意に、処理ユニット１５０２は、
アクティブにされるべきセッション及びアクティブセッションが異なるセッションを有しているときに、トランシーバユニット１５０１を使用することによって、アクティブセッションにあるがアクティブにされるべきセッションにないセッションを非アクティブにすることを要求するために使用される第２要求メッセージを、アクティブセッションにあるがアクティブにされるべきセッションにないセッションに対応するセッション管理機能（ＳＭＦ）ノードへ送るよう更に構成される。
【手続補正１８】
【補正対象書類名】明細書
【補正対象項目名】０３１８
【補正方法】変更
【補正の内容】
【０３１８】
処理ユニット１７０２は、アクティブにされるべきセッション及びアクティブセッションが同じセッションを有しているときに、同じセッションに対応するセッション管理機能（ＳＭＦ）ノードへ第２要求メッセージを送ることをスキップするよう更に構成される。第２要求メッセージは、同じセッションを非アクティブにすることを要求するために使用される。
【手続補正１９】
【補正対象書類名】明細書
【補正対象項目名】０３２５
【補正方法】変更
【補正の内容】
【０３２５】
トランシーバユニット１９０１は、アクセス制御及びモビリティ管理機能（ＡＭＦ）ノードから要求メッセージを受信するよう構成される。要求メッセージは、最初にセッションを非アクティブにし、次いでセッションを再びアクティブにすることを要求するために使用される。
【手続補正２０】
【補正対象書類名】明細書
【補正対象項目名】０３３８
【補正方法】変更
【補正の内容】
【０３３８】
メモリ２１０２は、プログラムコードを記憶するよう構成され、プロセッサ２１０１は、メモリ２１０２に記憶されているプログラムコードを実行するよう構成される。
【手続補正２１】
【補正対象書類名】明細書
【補正対象項目名】０３４７
【補正方法】変更
【補正の内容】
【０３４７】
上記の実施形態の全て又は一部は、ソフトウェア、ハードウェア、ファームウェア、又はそれらの任意の組み合わせを使用することによって実装されてよい。ソフトウェアが実施形態を実装するために使用されるとき、実施形態は、完全に又は部分的にコンピュータプログラム製品の形で実装されてよい。コンピュータプログラム製品は、１つ以上のコンピュータ命令を含む。コンピュータプログラム命令がコンピュータでロード及び実行されるとき、本願の実施形態に従うプロシージャ又は機能は全て又は部分的に生成される。コンピュータは、汎用コンピュータ、専用コンピュータ、コンピュータネットワーク、又はプログラム可能な装置であってよい。コンピュータ命令は、コンピュータ可読記憶媒体に記憶されてよく、あるいは、コンピュータ可読記憶媒体から他のコンピュータ可読記憶媒体へ送られてもよい。例えば、コンピュータ命令は、ウェブサイト、コンピュータ、サーバ、又はデータセンタから、他のウェブサイト、コンピュータ、サーバ、又はデータセンタへ有線（例えば、同軸ケーブル、光ファイバ、若しくはデジタル加入者回線（ＤＳＬ））又は無線（例えば、赤外線、電波、若しくはマイクロ波）方式で送られてよい。コンピュータ可読記憶媒体は、コンピュータによってアクセス可能な任意の使用可能な媒体、又はサーバ若しくはデータセンタなどの、１つ以上の使用可能な媒体を組み込むデータ記憶デバイスであってよい。使用可能な媒体は、磁気媒体（例えば、フロッピーディスク、ハードディスク、若しくは磁気テープ）、光学媒体（例えば、ＤＶＤ）、半導体媒体（例えば、固体状態ドライブ（Solid  State  Disk、ＳＳＤ））、などであってよい。
【国際調査報告】
2021503851.tif 000024
2021503851.tif 000025
2021503851.tif 000026
2021503851.tif 000027